(57)【要約】  本発明の各種の実施形態は、複数の目の組立品を備えたヒンジ型ＩＯＬおよび振子型ＩＯＬを提供する。ヒンジ型ＩＯＬの組立品は、環状のプラットフォームを備えた骨組構造と、保護用アンブレラと、を有している。様々な前方リブおよび後方リブは、後方レンズおよび前方レンズを支持するための上記環状のプラットフォームにヒンジで連結されている。動的弾性バネ結合部は、前方リブおよび後方リブの間に備えられている。振子型ＩＯＬの組立品は、通常の注視において、焦点距離のために設計されている光学システムを用いて、物体の近見を可能にする。振子型ＩＯＬの組立品は、赤道の環状のプラットフォームに適合する後方レンズと、目の状態と共に揺れ動く振子のように動作するために下端に重りを有した前方吊り下げレンズと、を有している。
2013528098.tif 000002
【特許請求の範囲】
【請求項１】
挿入可能な眼内レンズのための複数の目の組立品を備えたヒンジ型眼内レンズであって、上記組立品は、
骨組構造と、
上記骨組構造に備えられた環状のプラットフォームと、
上記環状のプラットフォームを覆い、かつ、囲むために備えられたヒンジ保護用アンブレラと、
前方光学レンズおよび後方光学レンズを含んだレンズ光学部品と、
上記前方光学レンズを支持するために上記環状のプラットフォームにヒンジで連結された複数の前方リブと、
上記後方光学レンズを支持するために上記環状のプラットフォームにヒンジで連結された複数の後方リブと、
複数の動的弾性バネ結合部と、を備え、
上記複数の前方リブおよび上記複数の後方リブが、上記環状のプラットフォームおよび上記レンズ光学部品に固定され、かつ、哺乳類の目の白内障手術の間、水晶体嚢内に収まっている、組立品。
【請求項２】
上記複数の前方リブおよび上記複数の後方リブは、ヒンジシステムを介して固定され、それによって、上記複数の前方リブ、上記複数の後方リブおよび上記レンズ光学部品が互いに、近づいたり離れたりする、請求項１に記載の組立品。
【請求項３】
上記骨組構造は、さらに、複数の放射状に配置された細いリブであって、凸型に形成された外部表面を有した細いリブを備えており、上記複数の放射状に配置された細いリブは、互いに離間している、請求項１に記載の組立品。
【請求項４】
上記複数の根本的に配置された細いリブの間の空間は、開放されているか、または、網を形成する医学的に覆われた透明な外科用材料で覆われている、請求項３に記載の組立品。
【請求項５】
上記複数の前方リブおよび上記複数の後方リブは、上記複数の動的弾性バネ結合部によって互いに接続されている、請求項１に記載の組立品。
【請求項６】
上記複数の前方リブおよび上記複数の後方リブは、上記複数の前方リブおよび上記複数の後方リブが上記ヒンジのまわりを旋回するように、上記ヒンジにて接続されている、請求項１に記載の組立品。
【請求項７】
上記骨組構造は、さらに、水晶体前嚢を裏打ちする１以上の第１のリブ群と、水晶体後嚢を裏打ちする１以上の第２のリブ群を備えている、請求項１に記載の組立品。
【請求項８】
上記複数の前方リブは、水晶体前嚢に近接した前方の環に接合され、上記複数の後方リブは、水晶体嚢の水晶体後嚢上にある眼内レンズの支持部に接合されている、請求項１に記載の組立品。
【請求項９】
上記骨組構造の上記前方の環は、ひとつの眼内レンズシステムまたは２重の眼内レンズシステムまたは多焦点の眼内システムを保持する、請求項１に記載の組立品。
【請求項１０】
上記複数の動的弾性バネ結合部は、さらに、
硬質ロッドと、
前方ロッドと、
後方ロッドと、を備え、
上記前方ロッドは上記前方リブに接続されており、上記後方ロッドは上記後方リブに接続されており、上記前方ロッドおよび上記後方ロッドは、互いに入れ子式に連結されている、請求項１に記載の組立品。
【請求項１１】
上記後方ロッドおよび上記前方ロッドを互いに遠ざかるように押すために、入れ子式部分の内部にバネが配置されている、請求項１０に記載の組立品。
【請求項１２】
上記前方ロッドおよび上記後方ロッドを互いに近くに引き寄せるように、上記入れ子式部分の外部に複数の弾性バンドが配置されている、請求項１０に記載の組立品。
【請求項１３】
上記バネは、上記前方ロッドおよび上記後方ロッドに外側に向かって作用する押力をかけ、上記弾性バンドは、内側に向かって作用する引張力をかけ、上記バネに働く上記押力は、上記弾性バンドの上記引張力と対抗し、上記バネの外側に押すベクトル力が、静止状態において、上記弾性バンドの内側に引くベクトル力よりわずかに大きくなるように、上記バネの上記外側に押すベクトル力および上記弾性バンドの上記内側に引くベクトル力が、不均等に調整されている、請求項１０に記載の組立品。
【請求項１４】
挿入可能な眼内レンズのための振子型レンズの組立品であって、上記組立品は、
骨組構造と、
上記骨組構造に備えられた環状のプラットフォームと、
上記環状のプラットフォームを覆い、かつ、囲むために備えられたヒンジ保護用アンブレラと、
下端に重りを有した前方光学レンズおよび後方光学レンズを含んだレンズ光学部品と、
上記前方の空の環を支持するために上記環状のプラットフォームにヒンジで連結された複数の前方リブと、
上記後方光学レンズを支持するために上記環状のプラットフォームにヒンジで連結された複数の後方リブと、を備え、
上記複数の前方リブおよび上記複数の後方リブは、上記環状のプラットフォームおよび上記レンズ光学部品に固定され、かつ、哺乳類の目の白内障手術の間、水晶体嚢内に収まっている、組立品。
【請求項１５】
上記前方レンズは、複数の糸で自由に吊るされている、請求項１４に記載の組立品。
【請求項１６】
上記後方レンズおよび上記前方レンズは、互いに並列であり、互いに最も近づくように配置されており、上記後方レンズの視軸および上記前方レンズの視軸は、目が前方に注視しているとき、水平に指し示されている、請求項１４に記載の組立品。
【請求項１７】
上記後方レンズが、目と共に下を向き、上記前方レンズが、水晶体前嚢に向かって前方に動くことによって、目が下向きに注視しているとき、上記後方レンズおよび上記前方レンズの間の距離が増加する、請求項１４に記載の組立品。
【請求項１８】
上記前方レンズの視軸は、わずかな軸外偏向を有した上記後方レンズの視軸と一直線状になっている、請求項１４に記載の組立品。
【請求項１９】
上記環状のプラットフォームは、上記水晶体嚢の赤道領域に位置しており、上記環状のプラットフォームは、上記赤道領域上で、上記水晶体前嚢および水晶体後嚢に適合し、かつ、把持するように設けられている、請求項１４に記載の組立品。
【請求項２０】
上記環状のプラットフォームは、さらに、自由に吊るされた前方レンズを支えるための吊り用プラットフォームを備えている、請求項１４に記載の組立品。
【請求項２１】
上記環状のプラットフォームは、さらに、後方側の上記後方レンズに固定された細いリブであって、放射状に配置された複数の細いリブ、および、前方側の上記空の環に固定された細いリブであって、放射状に配置された複数の細いリブを備えている、請求項１４に記載の組立品。
【発明の詳細な説明】
【技術分野】
【０００１】
本明細書の実施形態は、一般的な眼科用レンズ、特に、哺乳類の目に付けられるための挿入可能な眼内レンズに関する。さらに、本明細書の実施形態は、より具体的には、上記眼球被膜を無傷に保つための動的結合部を備えたヒンジ型眼内レンズの組立品、および、近くや遠くの物体に対する視覚画像を調整するための振子型眼内レンズの組立品に関する。
【背景技術】
【０００２】
眼内レンズ（ＩＯＬ）は、水晶体が白内障によって全体的に白濁した場合、または、目の屈折率を変化するための屈折矯正手術の方法として、哺乳類の目に、通常、既存の水晶体を取り換えて、挿入されるレンズである。これは、通常、哺乳類の目の内側の水晶体嚢（capsular bag）内の所定の位置にレンズを保持するために、支持部（haptics）と呼ばれるプラスチック製の横支柱（side struts）を有する小さなプラスチックレンズで構成されている。大部分では、柔軟性のある材質を用いることに、取って変わっているが、ＩＯＬは、従来では、柔軟性のない材質（ポリメチルメタクリレート）で作られていた。現在に適したほとんどのＩＯＬは、遠視力に適合した固定的な単焦点性レンズ（monofocal lenses）である。しかしながら、現在、利用可能なレンズの他のタイプは、多焦点性（multifocal）ＩＯＬ、および適応性ＩＯＬである。多焦点性ＩＯＬは、遠くおよび読書距離に複数の焦点を当てた画像を患者にもたらす。そして、適応性ＩＯＬは、制限された視覚調整を患者にもたらす。
【０００３】
ＩＯＬインプランテーションは、感染症、水晶体の回転、炎症および夜間の見辛さ（night time halos）のような、目の手術に関連したいくつかのリスクを持っている。また、レンズ被膜は、自身の階調を損失し、長年にわたり虚脱し始める。これらのＩＯＬの最大の欠点は、ＩＯＬがレンズ被膜の緩みを防げないことである。現在において、眼球被膜を無傷に保つためのシステムおよび方法はない。それゆえ、目のレンズ被膜を無傷に保ち、それによって、レンズ被膜の虚脱を防ぐ新しいシステムが必要である。
【０００４】
調節型レンズ（Accommodating Lens）は、動かされ、調節され、あるいはその反対で、自身が全ての距離の見ることを可能にするように変更させられるレンズである。多焦点性レンズ（Multi-Focal Lenses）とは異なって、調節型レンズは、白内障手術の間に除去される水晶体（natural lens）により近い。上記水晶体は、自身の形を変えるレンズを付ける筋肉を有しており、目に焦点を当てることを可能にしている。調節型レンズは、これと同様の機能性を有することを目的としている。
【発明の概要】
【発明が解決しようとする課題】
【０００５】
二重の目のレンズ（Dual-Optic Lenses）は、２つの目またはレンズを有したレンズである。二重光学レンズは、これらの低感度、視感度の損失、および分解特性のせいで不成功である。これらは、必要なとき、特に、読み書きの間、近くの物体に焦点を当てることができない。
【０００６】
それゆえ、読み書きの間、効果的および効率的に近くの物体の急速焦点を提供するための良好な集束力を有した対の光学レンズシステムが必要である。
【０００７】
更に、現在、眼球被膜を無傷に保つことができるシステムおよび方法がない。それゆえ、目のレンズ被膜を無傷に保ち、それによって、レンズ被膜の虚脱を防ぐ新しいシステムがさらに必要である。
【０００８】
以上に述べた短所、欠点および問題点は、ここに説明され、以下の明細書を解釈することによって理解されるであろう。
【課題を解決するための手段】
【０００９】
〔実施形態の目的〕
本明細書の実施形態における第１の目的は、元の水晶体の形を維持し、目のレンズ被膜を所定の位置で無傷に保ち、それによって、レンズ被膜の虚脱を防ぐ骨組構造（scaffold structure）を備えた、複数の目の部品（multi optic assembly）を有したヒンジ型ＩＯＬを開発することである。
【００１０】
本明細書の実施形態における他の目的は、毛様体筋力（cilliary body muscle forces）に反応したヒンジに関する目またはレンズの動きについてより大きな自由を可能にする骨組構造を備えた、複数の目の部品を有したヒンジ型ＩＯＬを開発することである。
【００１１】
本明細書の実施形態におけるさらに他の目的は、医薬品に含浸させた骨組構造を備えた、複数の目の部品を有したヒンジ型ＩＯＬを開発することである。
【００１２】
本明細書の実施形態におけるさらに他の目的は、容易に、効果的に、迅速に、および、特に近くの物体対して、特に読み書きの間、焦点を当てるために、遠くのおよび近くの物体に焦点を当てることができる振子型レンズの組立品を備えた２重レンズの組立品を開発することである。
【００１３】
本明細書の実施形態におけるさらに他の目的は、加重レンズ（weighted lens）の組立品を範囲内で垂直に保つために自由に動かすことを可能にする振子型レンズの組立品を提供することである。
【００１４】
本明細書の実施形態におけるさらに他の目的は、通常の注視の間、（注視の水平位置の画像に対して）注視の距離のために設計されている光学システムの短焦点を可能にする２つのレンズの間の距離を増加するために、加重レンズの組立品を自由に動かすことを可能にする振子型レンズの組立品を提供することである。
【００１５】
これら、並びに、そのほかの目的および本明細書の実施形態の利点は、添付の図面と共に以下の明細書を検討することにより、容易に理解されるであろう。
【００１６】
〔要約〕
挿入可能な眼内レンズのための複数の目の組立品を備えたヒンジ型眼内レンズは、骨組構造と、上記骨組構造に備えられた環状のプラットフォームと、上記環状のプラットフォームを覆い、かつ、囲むために備えられたヒンジ保護用アンブレラと、前方光学レンズおよび後方光学レンズを含んだレンズ光学部品と、上記前方光学レンズを支持するために上記環状のプラットフォームにヒンジで連結された複数の前方リブと、上記後方光学レンズを支持するために上記環状のプラットフォームにヒンジで連結された複数の後方リブと、複数の動的弾性バネ結合部と、を備えている。上記複数の前方リブおよび上記複数の後方リブは、上記環状のプラットフォームおよび上記レンズ光学部品に固定され、かつ、哺乳類の目の白内障手術の間、水晶体嚢内に収まっている。
【００１７】
本明細書の一実施形態によれば、上記複数の前方リブおよび上記複数の後方リブは、ヒンジシステムを介して固定され、それによって、上記複数の前方リブ、上記複数の後方リブおよび上記レンズ光学部品が互いに、近づいたり離れたりする。
【００１８】
本明細書の一実施形態によれば、上記骨組構造は、さらに、複数の放射状に配置された細いリブであって、凸型に形成された外部表面を有した細いリブを備えている。上記複数の放射状に配置された細いリブは、互いに離間している。上記複数の放射状に配置された細いリブの間の空間は、開放されているか、または、網（web）を形成する医学的に覆われた透明な外科用材料で覆われている。
【００１９】
上記複数の前方リブおよび上記複数の後方リブは、上記複数の動的弾性バネ結合部によって互いに接続されている。上記複数の前方リブおよび上記複数の後方リブは、上記複数の前方リブおよび上記複数の後方リブがヒンジのまわりを旋回するように、上記ヒンジにて接続されている。
【００２０】
本明細書の一実施形態によれば、上記骨組構造は、さらに、水晶体前嚢を裏打ちする１以上の第１のリブ群と、水晶体後嚢を裏打ちする１以上の第２のリブ群を備えている。上記複数の前方リブは、水晶体前嚢に近接した前方の環に接合され、上記複数の後方リブは、水晶体嚢の水晶体後嚢上にある眼内レンズの支持部に接合されている。上記骨組構造の上記前方の環は、ひとつの眼内レンズシステムまたは２重の眼内レンズシステムまたは多焦点の眼内システム、または、そのほかのレンズシステムを保持する。
【００２１】
本明細書の一実施形態によれば、上記複数の動的弾性バネ結合部は、さらに、硬質ロッド、前方ロッドおよび後方ロッドを備えている。上記前方ロッドは上記前方リブに接続されており、上記後方ロッドは、上記後方リブに接続されている。上記前方ロッドおよび上記後方ロッドは、互いに入れ子式に連結されている。
【００２２】
本明細書の一実施形態によれば、上記後方ロッドおよび上記前方ロッドを互いに遠ざかるように押すために、入れ子式部分の内部にバネが配置されている。上記前方ロッドおよび上記後方ロッドを互いに近くに引き寄せるように、上記入れ子式部分の外部に複数の弾性バンドが配置されている。上記バネは、上記前方ロッドおよび上記後方ロッドに外側に向かって作用する押力をかける。また、上記弾性バンドは、内側に向かって作用する引張力をかける。上記バネに働く上記押力は、上記弾性バンドの上記引張力と対抗する。上記バネの外側に押すベクトル力が、静止状態において、上記弾性バンドの内側に引くベクトル力よりわずかに大きくなるように、上記バネの上記外側に押すベクトル力および上記弾性バンドの上記内側に引くベクトル力は、不均等に調整されている。
【００２３】
挿入可能な眼内レンズのための振子型レンズの組立品は、骨組構造と、上記骨組構造に備えられた環状のプラットフォームと、上記環状のプラットフォームを覆い、かつ、囲むために備えられたヒンジ保護用アンブレラと、下端に重りを有した前方光学レンズおよび後方光学レンズを含んでいるレンズ光学部品と、上記前方光学レンズを支持するために上記環状のプラットフォームにヒンジで連結された複数の前方リブと、上記後方光学レンズを支持するために上記環状のプラットフォームにヒンジで連結された複数の後方リブと、を備えている。上記複数の前方リブおよび上記複数の後方リブは、上記環状のプラットフォームおよび上記レンズ光学部品に固定され、かつ、哺乳類の目の白内障手術の間、水晶体嚢内に収まっている。
【００２４】
本明細書の一実施形態によれば、上記前方レンズは、複数の糸で自由に吊るされている。上記後方レンズおよび上記前方レンズは、互いに並列に、かつ、互いに近くに配置されている。上記後方レンズの視軸および上記前方レンズの視軸は、目が前方に注視しているとき、水平に指し示されている。上記前方レンズの視軸は、わずかな軸外偏向を有した上記後方レンズの視軸と一直線状になっている。
【００２５】
本明細書の一実施形態によれば、上記後方レンズが、目と共に下を向き、上記前方レンズが、水晶体前嚢に向かって前方に動くことによって、目が下向きに注視しているとき、上記後方レンズおよび上記前方レンズの間の距離が増加する。
【００２６】
本明細書の一実施形態によれば、上記環状のプラットフォームは、上記水晶体嚢の赤道領域に位置しており、上記環状のプラットフォームは、上記赤道領域上で、上記水晶体前嚢および水晶体後嚢に適合し、かつ、把持するように設けられている。上記環状のプラットフォームは、さらに、自由に吊るされた前方レンズを支えるための吊り用プラットフォーム（吊り用領域）を備えている。上記環状のプラットフォームは、さらに、後方側の上記後方レンズに固定された細いリブであって、放射状に配置された複数の細いリブ、および、前方側の上記空の環に固定された細いリブであって、放射状に配置された複数の細いリブを備えている。
【図面の簡単な説明】
【００２７】
そのほかの目的、特徴、利点は、以下の好ましい実施の形態の説明および以下の添付の図面から当業者であれば気付くであろう。
【図１】本明細書における一実施形態に関する、複数の光学部品を有するヒンジ型ＩＯＬにおけるかご型骨組構造の側面図である。
【図２】本明細書における一実施形態に関する、複数の目の組立品を有するヒンジ型ＩＯＬにおけるリブ構造の側面図である。
【図３】本明細書における一実施形態に関する、複数の目の組立品を有するヒンジ型ＩＯＬにおける薄い弾性バンドを有する動的結合部の側面図である。
【図４】本明細書における一実施形態に関する、複数の目の組立品を有するヒンジ型ＩＯＬにおけるバネを有する動的結合部の側面図である。
【図５】本明細書における一実施形態に関する、振子型眼内レンズの組立品のための骨組構造デザインの側面図である。
【図６】本明細書における一実施形態に関する、振子型眼内レンズの組立品の側面図である。
【図７】本明細書における一実施形態に関する、吊り用領域および前方レンズ（光学部品）のみを示している振子型眼内レンズの組立品の正面図である。
【図８】本明細書における一実施形態に関する、通常の状況での振子型眼内レンズの組立品の側面図である。
【図９】本明細書における一実施形態に関する、短焦点のために下方を注視するなかでの振子型眼内レンズの組立品の側面図である。
【図１０】本明細書における一実施形態に関する、ノブによって保持されている、振子型レンズの側面図である。
【００２８】
本明細書の実施形態の詳細な特徴点は、いくつかの図面によって示されるが、他には示されていない。これは、各特徴が本明細書の実施形態に基づく任意のまたはすべてのそのほかの特徴と組み合わされうるからに過ぎない。
【発明を実施するための形態】
【００２９】
以下の詳細な説明において、本明細書の一部を形成する添付の図面を参照する。そして、実施されうる具体的な実施形態は、例として示されている。これらの実施形態は、当業者が本実施形態を実施できるように十分詳細に説明されている。そして、論理的、機械的、および他の変更が、本実施形態の範囲から離れることなく行われうることが理解される。それゆえ、以下の詳細な説明は、限定する意味で理解すべきではない。
【００３０】
挿入可能な眼内レンズのための複数の目の組立品を備えたヒンジ型眼内レンズは、骨組構造と、上記骨組構造に備えられた環状のプラットフォームと、を備えている。ヒンジ保護用アンブレラは、上記環状のプラットフォームを覆い、かつ、囲むために備えられている。前方光学レンズおよび後方光学レンズを含んだレンズ光学部品は、上記環状のプラットフォームによって支持されている。複数の前方リブは、上記前方光学レンズを支持するために上記環状のプラットフォームにヒンジで連結されており、複数の後方リブは、上記後方光学レンズを支持するために上記環状のプラットフォームにヒンジで連結されている。上記後方リブおよび上記前方リブは、複数の動的弾性バネ結合部を介して連結されている。上記複数の前方リブおよび上記複数の後方リブは、上記環状のプラットフォームおよび上記レンズ光学部品に固定され、かつ、哺乳類の目の白内障手術の間、水晶体嚢内に収まっている。
【００３１】
本明細書の一実施形態によれば、上記複数の前方リブおよび上記複数の後方リブは、ヒンジシステムを介して固定され、それによって、上記複数の前方リブ、上記複数の後方リブおよび上記レンズ光学部品が互いに、近づいたり離れたりする。
【００３２】
本明細書の一実施形態によれば、上記骨組構造は、さらに、複数の放射状に配置された細いリブであって、凸型に形成された外部表面を有した細いリブを備えており、上記複数の放射状に配置された細いリブは、互いに離間している。上記複数の根本的に配置された細いリブの間の空間は、開放されているか、または、網を形成する医学的に覆われた透明な外科用材料で覆われている。
【００３３】
上記複数の前方リブおよび上記複数の後方リブは、上記複数の動的弾性バネ結合部によって互いに接続されている。上記複数の前方リブおよび上記複数の後方リブは、上記複数の前方リブおよび上記複数の後方リブがヒンジのまわりを旋回するように、上記ヒンジで接続されている。
【００３４】
本明細書の一実施形態によれば、上記骨組構造は、さらに、水晶体前嚢を裏打ちする１以上の第１のリブ群と、水晶体後嚢を裏打ちする１以上の第２のリブ群を備えている。上記複数の前方リブは、水晶体前嚢に近接した前方の環に接合され、上記複数の後方リブは、水晶体嚢の水晶体後嚢上にある眼内レンズの支持部に接合されている。上記骨組構造の上記前方の環は、ひとつの眼内レンズシステムまたは２重の眼内レンズシステムまたは多焦点の眼内システム、または、そのほかのレンズシステムを保持する。
【００３５】
本明細書の一実施形態によれば、上記複数の動的弾性バネ結合部は、さらに、硬質ロッド、前方ロッドおよび後方ロッドを備えている。上記前方ロッドは上記前方リブに接続されており、上記後方ロッドは、上記後方リブに接続されている。上記前方ロッドおよび上記後方ロッドは、入れ子式に連結されている。
【００３６】
本明細書の一実施形態によれば、上記後方ロッドおよび上記前方ロッドを互いに遠ざかるように押すために、入れ子式部分の内部にバネが配置されている。上記前方ロッドおよび上記後方ロッドを互いに近くに引き寄せるように、上記入れ子式部分の外部に複数の弾性バンドが配置されている。上記バネは、上記前方ロッドおよび上記後方ロッドに外側に作用する押力をかける。また、上記弾性バンドは、内側に作用する引張力をかける。上記バネに働く上記押力は、上記弾性バンドの上記引張力と対抗する。上記バネの外側に押すベクトル力が、静止状態において、上記弾性バンドの内側に引くベクトル力よりわずかに大きくなるように、上記バネの上記外側に押すベクトル力および上記弾性バンドの上記内側に引くベクトル力は、不均等に調整されている。
【００３７】
挿入可能な眼内レンズのための振子型レンズの組立品は、骨組構造と、上記骨組構造に備えられた環状のプラットフォームと、を備えている。上記環状のプラットフォームを覆い、かつ、囲むためにヒンジ保護用アンブレラが備えられている。下端に重りを有した前方光学レンズおよび後方光学レンズを含んでいるレンズ光学部品は、上記環状のプラットフォームによって支持されている。複数の前方リブは、上記前方光学レンズを支持するために上記環状のプラットフォームにヒンジで連結されており、複数の後方リブは、上記後方光学レンズを支持するために上記環状のプラットフォームにヒンジで連結されている。上記複数の前方リブおよび上記複数の後方リブは、上記環状のプラットフォームおよび上記レンズ光学部品に固定され、かつ、哺乳類の目の白内障手術の間、水晶体嚢内に収まっている。
【００３８】
本明細書の一実施形態によれば、上記前方レンズは、複数の糸で自由に吊るされている。上記後方レンズおよび上記前方レンズは、互いに並列に、かつ、互いに近くに配置されている。上記後方レンズの視軸および上記前方レンズの視軸は、目が前方に注視しているとき、水平に指し示されている。上記前方レンズの視軸は、わずかな軸外偏向を有した上記後方レンズの視軸と一直線状になっている。
【００３９】
本明細書の一実施形態によれば、上記後方レンズは、目と共に下を向き、上記前方レンズは、水晶体前嚢に向かって前方に動く。よって、目が下向きに注視しているとき、上記後方レンズおよび上記前方レンズの間の距離は増加する。
【００４０】
本明細書の一実施形態によれば、上記環状のプラットフォームは、上記水晶体嚢の赤道領域に位置しており、上記環状のプラットフォームは、上記赤道領域上で、上記水晶体前嚢および水晶体後嚢に適合し、かつ、把持するように設けられている。上記環状のプラットフォームは、さらに、自由に吊るされた前方レンズを支えるための吊り用プラットフォーム（吊り用領域）を備えている。上記環状のプラットフォームは、さらに、後方側の上記後方レンズに固定されており、放射状に配置された複数の細いリブ、および、前方側の空の環に固定されており、放射状に配置された複数の細いリブを備えている。
【００４１】
図１は、本明細書の一実施形態に関する、複数の目の組立品を有するヒンジ型眼内レンズにおけるかご型骨組構造の側面図を示している。本発明のヒンジ型ＩＯＬの組立品は、骨組構造１０６と、骨組構造１０６に備えられた環状のプラットフォーム１０１とを備えている。図１に示されているように、環状のプラットフォーム１０１は、薄い輪の形状をしている。一群の細いリブ１０２ａおよび一群の細いリブ１０２ｂが、環状のプラットフォーム１０１から伸ばされている。一群の細いリブ１０２ａおよび一群の細いリブ１０２ｂは、ヒンジシステム１０７を通って、環状のプラットフォーム１０１から伸ばされている。一群のリブ１０２ａは、水晶体前嚢を支持するよう配置されており、もう一方の一群のリブ１０２ｂは、水晶体後嚢を支持するよう配置されている。前方リブ１０２ａは、前方の環１０３に接しており、骨組構造の後方リブ１０２ｂは、レンズ嚢（水晶体嚢）の水晶体後嚢にある、ＩＯＬ光学部品（主要光学部品１０４）の支持部に接している。前方リブ１０２ａと後方リブ１０２ｂとは、それぞれのヒンジによって環状のプラットフォーム１０１に接合されている。前方リブ１０２ａと後方リブ１０２ｂは放射状に配置され、外に向かって突き出た凸面構造を有している。ヒンジにより、前方リブ１０２ａと後方リブ１０２ｂが互いに近づいたり離れたりできる。リブはそれぞれ、水晶体後嚢の混濁および水晶体前嚢の混濁を抑制するための方形の縁１０５を有している。
【００４２】
本明細書の一実施形態によれば、環状のプラットフォーム１０１の直径は、９ｍｍから１６ｍｍであり、好ましい直径は１３ｍｍである。前方リブ１０２ａおよび後方リブ１０２ｂの数は、４から２４である。前方リブ１０２ａと後方リブ１０２ｂとの間の空間は開放されているか、「網（web）」を形成する医学的に覆われた透明な外科用材料で覆われている。
【００４３】
本明細書の一実施形態によれば、前方の環１０３は、少なくとも５ｍｍから８ｍｍの直径を有している。前方の環は、水晶体前嚢（部分的または全体的）に対向するように配置され、破裂（rhexsis）の近接した位置にしっかりと取り付けられている。骨組構造１０６の前方の環１０３は、二重のＩＯＬシステムを形成するための他の目またはレンズを保持しても良く、ひとつのＩＯＬシステムを形成するために空いたままにしておいても良い。システムでの支持部の数は、２から８である。
【００４４】
図２は、本明細書の他の実施形態に関する、複数の目の組立品を有するヒンジ型ＩＯＬにおけるリブ構造の側面図を示している。ヒンジ型ＩＯＬの組立品は、２つの光学部品、すなわち、前方レンズ２０６ａおよび後方レンズ２０６ｂが備えられた二重レンズシステムを有している。２つのレンズそれぞれが、前方リブ１０２ａおよび後方リブ１０２ｂ経由で、環状のプラットフォーム１０１に接続されている。ヒンジ保護用アンブレラ２０１は、環状のプラットフォーム１０１を覆い囲むために備えられている。後方レンズ２０６ｂは、後方に角張らされて（湾曲させられて）おり、前方レンズ２０６ｂは、前方に湾曲させられている。
【００４５】
本明細書の一実施形態によれば、前方リブ１０２ａおよび後方リブ１０２ｂは、バネ２０７および弾性バンド２０５を組み合わせである独特な動的結合部によって接続されている。また、前方リブ１０２ａおよび後方リブ１０２ｂは、前方リブ１０２ａおよび後方リブ１０２がまわりを旋回するヒンジ２０２で接続されている。それぞれのリブは、水晶体後嚢の混濁および水晶体前嚢の混濁を抑制するために設けられた方形の縁１０５を有している。
【００４６】
本明細書の一実施形態によれば、独特な動的結合部は、硬質ロッド２０４と、前方リブ１０２ａに接続されている前方ロッド２０３ａと、後方リブ１０２ｂに接続されている後方ロッド２０３ｂとからなる。前方ロッドおよび後方ロッドは連結され、互いに入れ子式に動かされる。バネ２０７は入れ子式部分の内部に配置されている。バネ２０７は、２つのロッドが互いに遠ざかるように、前方ロッド２０３ａおよび後方ロッド２０３ｂを押す性質を有している。また、ヒンジ型ＩＯＬの組立品は、前方ロッド２０３ａおよび後方ロッド２０３ｂを互いに近くに引き寄せる性質を有した１以上の弾性バンド２０５を包含している。弾性バンドは、入れ子式結合部の外に取り付けられている。したがって、バネ２０７による前方ロッド２０３ａおよび後方ロッド２０３ｂを外側に押す力は、弾性バンド２０５の内側に引く力によって対抗されている。静止状態において、バネ２０７の外側に押す力が、弾性バンド２０５の内側に引く力よりわずかに大きくなるように、バネ２０７の外側に押すベクトル力と弾性バンド２０５の内側に引くベクトル力が少しだけ不均等になるように注意深く調整されている。本発明の一実施形態によれば、毛様体および毛様小帯のベクトル力次第で、上述とは反対の調整もなされている。
【００４７】
本明細書の一実施形態によれば、独特な動的結合部の数は、２から１６である。独特な動的結合部は、リブ１０２およびリブ１０２ｂと同一材料からできているが、強く、丈夫で堅い。独特な動的結合部は、環状のプラットフォーム１０１からおよそ１ｍｍから３ｍｍ離れた距離に位置している。
【００４８】
本明細書の一実施形態によれば、前方リブ１０２ａおよび後方リブ１０２ｂが、薄い人工膜または材料を介して、隣接するリブと相互に連結されている。それにより、元のレンズ被膜が所定の場所に保持され、上記レンズ被膜が縮むのを防いでいる。好ましくは、薄い人工膜または材料には、最適な薬物分子が添加される。
【００４９】
本明細書の一実施形態によれば、ヒンジ保護用アンブレラ２０１は、骨組構造における環状のプラットフォーム１０１のなかに配置されたヒンジ２０２に備えられている。ヒンジ保護用アンブレラ２０１は、環状のプラットフォーム１０１を覆うように設けられた３６０保護用アンブレラである。ヒンジ保護用アンブレラ２０１は、水晶体嚢の赤道に位置している。ヒンジ保護用アンブレラ２０１は、ヒンジ２０２のプラットフォームから伸びているロッド２０４によって支持されている。ヒンジ保護用アンブレラ２０１は、外科用材料からできている。ヒンジ保護用アンブレラ２０１は薄く、本来の形状を記憶して曲げられる。ヒンジ保護用アンブレラ２０１は、赤道から伸び、水晶体嚢が、ちょうどヒンジシステム２０２および環状のプラットフォーム１０１上に縮まないほどに環状のプラットフォーム１０１から離れたところで止められている。
【００５０】
本明細書の一実施形態によれば、ヒンジ型ＩＯＬの組立品は、２つのレンズ、すなわち、前方レンズ２０６ａと後方レンズ２０６ｂとを包含している。前方レンズ２０６ａおよび後方レンズ２０６ｂの屈折力は、同じまたは同じでない方法で、終端の間で分けられている。前方レンズ２０６ａと後方レンズ２０６ｂは、任意の外科用材料からできている。方形の形状をした後方の縁の表面は、水晶体後嚢の混濁の可能性が減るように設計されている。上記光学部品（前方レンズ２０６ａと後方レンズ２０６ｂ）は、単焦点、二焦点、または、多焦点である。前方レンズ２０６ａおよび後方レンズ２０６ｂは、屈折、回折、またはその両方の構造を組み合わせたものである。
【００５１】
図３は、本明細書の一実施形態に関する、複数の目の組立品を有するヒンジ型ＩＯＬにおける薄い弾性バンドを有する独特な動的結合部の側面図を示しており、図４は、本発明の一実施形態に関する、複数の目の組立品を有するヒンジ型ＩＯＬにおけるバネを有する独特な動的結合部の側面図を示している。図３および図４に関して、独特な動的結合部は、硬質ロッド、前方ロッドおよび後方ロッドからなる。前方ロッドは前方リブに接続されており、後方ロッドは後方リブに接続されている。前方ロッドおよび後方ロッドは、図２に示されているように互いに入れ子式に連結されている。図４に示されているように、バネ２０７（図４）は、前方ロッドおよび後方ロッドを互いに遠ざかるように押す性質を有しており、入れ子式部分の内部に備えられている。図３に示されているように、弾性バンド２０５は、前方ロッドおよび後方ロッドを互いに引き寄せる性質を有しており、入れ子式部分の外部に配置されている。
【００５２】
ロッド（前方ロッドと後方ロッド）における、バネ２０７（図４）の外側に作動している「押す」力は、弾性バンド２０５（図３）の内側に作動している「引く」力によって対抗されている。静止状態において、バネ２０７（図４）の外側に押す力が、弾性バンド２０５（図３）の内側に引く力よりもわずかに大きくなるように、バネ２０７（図４）の外側に押すベクトル力と弾性バンド２０５（図３）の内側に引くベクトル力とが少しだけ不均等になるように注意深く調整されている。毛様体および毛様小体のベクトル力次第で、上記とは反対の調整もなされている。
【００５３】
図５は、本明細書の一実施形態に関する、振子型眼内レンズの組立品のための骨組構造デザインの側面図を示している。振子型ＩＯＬの組立品は、レンズ被膜の赤道の内側を覆う環状のプラットフォーム１０１と呼ばれる円状の輪を包含している。後方の骨組のリブ１０２ｂは、環状のプラットフォーム１０１から外側に放射状に広がり、後方側の主要な後方レンズ１０４に取付けられている。同様に、前方の骨組のリブ１０２ａは、環状のプラットフォーム１０１から外側に放射状に広がり、前方側の空の環５０２に取付けられている。前方の骨組のリブ１０２ａおよび後方の骨組のリブ１０２ｂは細いリブである。本発明の環状のプラットフォーム１０１は、１２時のプラットフォーム５０１および６時のプラットフォーム５０３を有している。１２時の環状のプラットフォーム５０１が、第２のレンズとしても知られる振子型目の組立品を吊るすことを助けている。
【００５４】
図６は、本明細書の一実施形態に関する、振子型眼内レンズの組立品の側面図を示している。振子型ＩＯＬ組立部品は、骨組構造内に配置されている。主要光学部品１０４は、被膜の後方領域において、後方リブによって保持されている。図５に示されているように、主要光学部品１０４が、環状のプラットフォーム１０１の１２時のプラットフォーム５０１で湾曲させられている。第２の光学部品６０１は、その下部の表面に取付けられた重り６０２を有している振子のように吊るされている。１２時の環状のプラットフォーム５０１は、ヒンジシステム６０３を有している。光学部品１０４は、同様に、６時の環状のプラットフォーム５０３に接続されている。
【００５５】
図７は、本明細書の一実施形態に関する、吊り用領域および前方レンズ（光学部品）のみを示している振子型眼内レンズの組立品の正面図を示している。図７に示されているように、振子型ＩＯＬは更に、１２時の位置５０１に中心が置かれた吊り用領域（ヒンジ）５０１ａを含んでいる。吊り用領域５０１ａは、重り６０２を下部に有する前方光学部品６０１であって、自由に吊り下げられている前方光学部品６０１を支持する吊り用の糸７０１を有している。吊り用の糸７０１の長さは、前方光学部品６０１の正確な中心を確保するために調整されている。吊り用の糸７０１は、ヒンジシステム６０３を通って吊り用領域５０１ａに接続されている。図７に示されているように、本発明の環状のプラットフォーム１０１は、１２時のプラットフォーム５０１および６時のプラットフォーム５０３を有している。図７に示されているように、保護用アンブレラ７０４は、環状のプラットフォームを部分的におおい、囲んでいる。
【００５６】
図８は、本明細書の一実施形態に関する、通常の状況での振子型眼内レンズの組立品の側面図を示している。水晶体後嚢８０１の主要光学部品１０４（後方レンズ）は、目と共にまっすぐまたは下方を向く。通常の状況において、１２時５０１において環状のプラットフォームから重り６０２と共に、吊り用の糸７０１により自由に吊り下げられた振子型光学部品６０１（前方レンズ）は、主要光学部品１０４（後方レンズ）と整列して並べられている。そして、重り６０２にかかる重力の効果により、短焦点に対し下方を注視する間、自由に吊り下げられた振子型光学部品６０１（前方レンズ）が、空の環５０２に備えられた水晶体前嚢８０２に向かって前方に動き、これにより、２つの光学部品（後方レンズ１０４および前方レンズ６０１）間の距離が増加したり減少したりする。前方光学部品６０１の屈折力は、振子型眼内レンズシステムにおける近くでの焦点合わせを可能にするために、増加した距離が、＋２．５から＋４．０ジオプターのさらなる屈折力を生み出すように調整される。
【００５７】
図９は、本明細書の一実施形態に関する、短焦点のために下方を注視するなかでの振子型眼内レンズの組立品の側面図を示している。図９に関して、水晶体後嚢８０１の主要光学部品１０４（後方レンズ）は、目と共に下方を向いている。重りを伴った自由に吊り下げられた振子型光学部品６０１（前方レンズ）は、重りにかかる重力効果のために、水晶体前嚢８０２に向かって前方に動く。このことは、２つの光学部品（後方レンズ１０４および前方レンズ６０１）の間の距離を増加させる。前方光学部品６０１の屈折力は、振子型眼内レンズシステムにおける近くでの焦点合わせを可能にするために、増加した距離が、＋２．５から＋４．０ジオプターのさらなる屈折力を生み出すように調整される。
【００５８】
目が前方を注視しているとき、後方レンズ１０４および前方レンズ６０１（振子型光学部品）は平行のままであり、互いに最も近い位置にある。そして、それらの視軸は、遠くの物体に焦点を合わせることができるように、水平方向を指している。
【００５９】
図１０は、本明細書の一実施形態に関する、ノブ１１１によって保持されている、振子型レンズの側面図を示している。図１０に関して、重り６０２を有する振子型レンズ６０１（前方レンズ）は、ノブ１１１および広がった表面を持つ糸７０１を通って、軸に対して回転して動くことを可能にするために、環状のプラットフォームから支持されている。
【００６０】
本発明における様々な実施形態は、レンズ被膜の虚脱を防ぎ、上記被膜の形状を維持する骨組構造を提供している。本発明は、単焦点または二焦点レンズシステムを提供する複数の目のレンズの組立品を提供する。本発明は、毛様体に基づいて動くことによって調整される複数の目のレンズの組立品を提供し、これにより、様々な物体の焦点合わせが可能となる。本発明は、動的弾性結合部の外側に引く力が、水晶体嚢の剛性を維持するように、動的弾性結合部を有する複数の目のレンズの組立品を提供する。本発明は、その保護部によって水晶体嚢が、ヒンジシステムおよび環状のプラットフォームの上で縮小することを防ぐための、３６００保護用アンブレラを有する複数の目のレンズの組立品を提供する。
【００６１】
本発明における振子型レンズの組立品は、遠くに焦点を合わせるように設計されたレンズシステムを使用して読み書きする間、近くの物体に対してレンズの焦点合わせをすることを可能とする。本発明のレンズの組立品は、レンズを格納している水晶体嚢が無傷かつ剛性に保つための骨組構造を有している。水晶体後嚢および水晶体前嚢の特定化が再開される間、および、収縮している間、分子が吸収されるように、前方に炎症性のある化学コーティングをしたレンズが提供される。それぞれのリブは、水晶体前嚢および水晶体後嚢の混濁を抑制するように設計された方形の形状をした縁を有している。
【００６２】
先に記述した本発明の特定の実施形態は、本明細書における実施形態の一般的な性質が完全に明らかにしうる。他の者が現行の知識を用いて、一般的な概念から始めることなしに、特定の実施形態のような様々な形態に容易に修正および／または適用可能である。したがって、その適用および修正は、開示された実施形態と同じ意味および範囲内で含まれていることを意味している。本発明において使用された表現や用語は記述目的であり、制限するものではない。したがって、本明細書の実施形態は、好ましい実施形態に関して記述されているが、当業者は、本明細書の実施形態が、添付された請求項の特質および範囲内における修正によって実施されうることがわかるであろう。
【００６３】
本明細書の実施形態は、様々な特定の実施形態で記述されているが、当業者が、修正を加えて本明細書の実施形態を実施することは明らかであろう。しかし、それらの修正すべては、請求項の範囲内で実施されていると考えられる。
【００６４】
以下の請求項は、本明細書に記述した実施形態すべての一般および特定の特徴、および、実施形態の範囲の全ての記述を包含することを目的としており、用語として、実施形態は、これらの間で実現されると考えられる。
【図１】
2013528098.tif 000003
【図２】
2013528098.tif 000004
【図３】
2013528098.tif 000005
【図４】
2013528098.tif 000006
【図５】
2013528098.tif 000007
【図６】
2013528098.tif 000008
【図７】
2013528098.tif 000009
【図８】
2013528098.tif 000010
【図９】
2013528098.tif 000011
【図１０】
2013528098.tif 000012
【手続補正書】
【提出日】平成24年4月9日(2012.4.9)
【手続補正１】
【補正対象書類名】明細書
【補正対象項目名】全文
【補正方法】変更
【補正の内容】
【発明の詳細な説明】
【技術分野】
【０００１】
本明細書の実施形態は、一般的な眼科用レンズ、特に、哺乳類の目に挿入されるための挿入可能な眼内レンズに関する。さらに、本明細書の実施形態は、より具体的には、目のある眼球被膜を無傷に保つための動的結合部を備えた、上記目の水晶体嚢内への組み込みのための複数の光学眼内レンズ（ＩＯＬ）の骨組の組立品、および、近くや遠くの物体に対する視覚画像を調整するための振子型眼内レンズの組立品に関する。
【背景技術】
【０００２】
眼内レンズ（ＩＯＬ）は、水晶体が白内障によって全体的に白濁した場合、または、目の屈折率を変化するための屈折矯正手術の方法として、哺乳類の目に、通常、既存の水晶体を取り換えて、挿入されるレンズである。これは、通常、哺乳類の目の内側の水晶体嚢（capsular bag）内の所定の位置にレンズを保持するために、支持部（haptics）と呼ばれるプラスチック製の横支柱（side struts）を有する小さなプラスチックレンズで構成されている。大部分では、柔軟性のある材質を用いることに、取って変わっているが、ＩＯＬは、従来では、柔軟性のない材質（ポリメチルメタクリレート）で作られていた。現在に適したほとんどのＩＯＬは、遠視力に適合した固定的な単焦点性レンズ（monofocal lenses）である。しかしながら、現在、利用可能なレンズの他のタイプは、多焦点性（multifocal）ＩＯＬ、および適応性ＩＯＬである。多焦点性ＩＯＬは、遠くおよび読書距離に複数の焦点を当てた画像を患者にもたらす。そして、適応性ＩＯＬは、制限された視覚調整を患者にもたらす。
【０００３】
ＩＯＬインプランテーションは、感染症、水晶体の回転、炎症および夜間の見辛さ（night time halos）のような、目の手術に関連したいくつかのリスクを持っている。また、レンズ被膜は、自身の階調を損失し、長年にわたり虚脱し始める。これらのＩＯＬの最大の欠点は、ＩＯＬがレンズ被膜の緩みを防げないことである。現在において、眼球被膜を無傷に保つためのシステムおよび方法はない。それゆえ、目のレンズ被膜を無傷に保ち、それによって、レンズ被膜の虚脱を防ぐ新しいシステムが必要である。
【０００４】
調節型レンズ（Accommodating Lens）は、動かされ、調節され、あるいはその反対で、自身が全ての距離の見ることを可能にするように変更させられるレンズである。多焦点性レンズ（Multi-Focal Lenses）とは異なって、調節型レンズは、白内障手術の間に除去される水晶体（natural lens）により近い。上記水晶体は、自身の形を変えるレンズを付ける筋肉を有しており、目に焦点を当てることを可能にしている。調節型レンズは、これと同様の機能性を有することを目的としている。
【発明の概要】
【発明が解決しようとする課題】
【０００５】
二重の目のレンズ（Dual-Optic Lenses）は、２つの目またはレンズを有したレンズである。二重光学レンズは、これらの低感度、視感度の損失、および分解特性のせいで不成功である。これらは、必要なとき、特に、読み書きの間、近くの物体に焦点を当てることができない。
【０００６】
それゆえ、読み書きの間、効果的および効率的に近くの物体の急速焦点を提供するための良好な集束力を有した対の光学レンズシステムが必要である。
【０００７】
更に、現在、眼球被膜を無傷に保つことができるシステムおよび方法がない。それゆえ、目のレンズ被膜を無傷に保ち、それによって、レンズ被膜の虚脱を防ぐ新しいシステムがさらに必要である。
【０００８】
以上に述べた短所、欠点および問題点は、ここに説明され、以下の明細書を解釈することによって理解されるであろう。
【課題を解決するための手段】
【０００９】
〔実施形態の目的〕
本明細書の実施形態における第１の目的は、元の水晶体の形を維持し、目のレンズ被膜を所定の位置で無傷に保ち、それによって、レンズ被膜の虚脱を防ぐ骨組構造（scaffold structure）を備えた、複数の光学部品（multi-optics assembly）を有したヒンジ型ＩＯＬを開発することである。
【００１０】
本明細書の実施形態における他の目的は、毛様体筋力（cilliary body muscle forces）に反応したヒンジに関する目またはレンズの動きについてより大きな自由を可能にする骨組構造を備えた、複数の光学部品を有したヒンジ型ＩＯＬを開発することである。
【００１１】
本明細書の実施形態におけるさらに他の目的は、医薬品に含浸させた骨組構造を備えた、複数の光学部品を有したヒンジ型ＩＯＬを開発することである。
【００１２】
本明細書の実施形態におけるさらに他の目的は、容易に、効果的に、迅速に、および、特に近くの物体対して、特に読み書きの間、焦点を当てるために、遠くのおよび近くの物体に焦点を当てることができる振子型レンズの組立品を備えた二焦点レンズの組立品を開発することである。
【００１３】
本明細書の実施形態におけるさらに他の目的は、加重レンズ（weighted lens）の組立品を自由に動かし、かつ、範囲内で垂直に保つことを可能にする振子型レンズの組立品を提供することである。
【００１４】
本明細書の実施形態におけるさらに他の目的は、通常の注視の間、（注視の水平位置の画像に対して）注視の距離のために設計されている光学システムの短焦点を可能にする２つのレンズの間の距離を増加するために、加重レンズの組立品を自由に動かすことを可能にする振子型レンズの組立品を提供することである。
【００１５】
これら、並びに、そのほかの目的および本明細書の実施形態の利点は、添付の図面と共に以下の明細書を検討することにより、容易に理解されるであろう。
【００１６】
〔要約〕
骨組構造を有した複数の光学部品を備えた眼内レンズは、環状のプラットフォームと、上記環状のプラットフォームを覆い、かつ、囲むために備えられたヒンジ保護用アンブレラと、前方光学レンズおよび後方光学レンズを含んだレンズ光学部品と、上記前方光学レンズを支持するために上記環状のプラットフォームにヒンジで連結された複数の前方リブと、上記後方光学レンズを支持するために上記環状のプラットフォームにヒンジで連結された複数の後方リブと、複数の動的弾性バネ結合部と、を含んでいる。上記複数の前方リブおよび上記複数の後方リブは、上記環状のプラットフォームおよび上記レンズ光学部品に固定され、かつ、哺乳類の目の白内障手術の間、水晶体嚢内に収まっている。
【００１７】
本明細書の一実施形態によれば、上記複数の前方リブおよび上記複数の後方リブは、ヒンジシステムを介して固定され、それによって、上記複数の前方リブ、上記複数の後方リブおよび上記レンズ光学部品が互いに、近づいたり離れたりする。
【００１８】
本明細書の一実施形態によれば、上記骨組構造は、さらに、複数の放射状に配置された細いリブであって、凸型に形成された外部表面を有した細いリブを備えている。上記複数の放射状に配置された細いリブは、互いに離間している。上記複数の放射状に配置された細いリブの間の空間は、開放されているか、または、網（web）を形成する医学的に覆われた透明な外科用材料で覆われている。
【００１９】
上記複数の前方リブおよび上記複数の後方リブは、上記複数の動的弾性バネ結合部によって互いに接続されている。上記複数の前方リブおよび上記複数の後方リブは、上記複数の前方リブおよび上記複数の後方リブがヒンジのまわりを旋回するように、上記ヒンジにて接続されている。
【００２０】
本明細書の一実施形態によれば、上記複数の光学眼内レンズ（ＩＯＬ）の骨組の組立品は、さらに、水晶体前嚢を裏打ちする１以上の第１のリブ群と、水晶体後嚢を裏打ちする１以上の第２のリブ群を備えている。上記前方リブは、水晶体前嚢に近接した前方の環に接合され、上記後方リブは、水晶体嚢の水晶体後嚢上にある眼内レンズの支持部に接合されている。上記骨組構造の上記前方の環は、単一の眼内レンズシステムまたは二焦点眼内レンズシステムまたは多焦点の眼内システム、または、そのほかのレンズシステムを保持する。
【００２１】
本明細書の一実施形態によれば、それぞれの上記動的弾性バネ結合部は、さらに、硬質ロッド、前方ロッドおよび後方ロッドを備えている。上記前方ロッドは上記前方リブに接続されており、上記後方ロッドは、上記後方リブに接続されている。上記前方ロッドおよび上記後方ロッドは、互いに入れ子式に連結されている。
【００２２】
本明細書の一実施形態によれば、上記後方ロッドおよび上記前方ロッドを互いに遠ざかるように押すために、入れ子式部分の内部にバネが配置されている。上記前方ロッドおよび上記後方ロッドを互いに近くに引き寄せるように、上記入れ子式部分の外部に弾性バンドが配置されている。上記バネは、上記前方ロッドおよび上記後方ロッドに外側に向かって作用する押力をかける。また、上記弾性バンドは、内側に向かって作用する引張力をかける。上記バネに働く上記押力は、上記弾性バンドの上記引張力と対抗する。上記バネの外側に押すベクトル力が、静止状態において、上記弾性バンドの内側に引くベクトル力よりわずかに大きくなるように、上記バネの上記外側に押すベクトル力および上記弾性バンドの上記内側に引くベクトル力は、不均等に調整されている。
【００２３】
振子型レンズの組立品の複数の光学眼内レンズ（ＩＯＬ）の骨組の組立品は、環状のプラットフォームと、上記環状のプラットフォームを覆い、かつ、囲むために備えられたヒンジ保護用アンブレラと、下端に重りを有した前方光学レンズおよび後方光学レンズを含んでいるレンズ光学部品と、前方リブ（上記前方光学レンズを支持するために上記環状のプラットフォームにヒンジで連結されている）と、後方リブ（上記後方光学レンズを支持するために上記環状のプラットフォームにヒンジで連結されている）と、を含んでいる。上記前方リブおよび上記後方リブは、上記環状のプラットフォームおよび上記レンズ光学部品に固定され、かつ、哺乳類の目の白内障手術の間、水晶体嚢内に収まっている。
【００２４】
本明細書の一実施形態によれば、上記前方レンズは、複数の糸で自由に吊るされている。上記後方レンズおよび上記前方レンズは、互いに並列に、かつ、互いに近くに配置されている。上記後方レンズおよび上記前方レンズの光軸は、目が前方に注視しているとき、同軸である。上記前方レンズの視軸は、わずかな軸外偏向を有した上記後方レンズの視軸と一直線状になっている。
【００２５】
本明細書の一実施形態によれば、上記後方レンズが、目と共に下を向き、上記前方レンズが、水晶体前嚢に向かって前方に動くことによって、目が下向きに注視しているとき、上記後方レンズおよび上記前方レンズの間の距離が増加する。
【００２６】
本明細書の一実施形態によれば、上記環状のプラットフォームは、上記水晶体嚢の赤道領域に位置しており、上記環状のプラットフォームは、上記赤道領域上で、上記前方リブおよび後方リブに適合し、かつ、把持するように設けられている。上記環状のプラットフォームは、さらに、自由に吊るされた前方レンズを支えるための吊り用プラットフォーム（吊り用領域）を備えている。上記環状のプラットフォームは、さらに、後方側の上記後方レンズに固定された細いリブであって、放射状に配置された複数の細いリブ、および、前方側の上記空の環に固定された細いリブであって、放射状に配置された複数の細いリブを備えている。
【図面の簡単な説明】
【００２７】
そのほかの目的、特徴、利点は、以下の好ましい実施の形態の説明および以下の添付の図面から当業者であれば気付くであろう。
【図１Ａ】本明細書における一実施形態に関する、被験者の目の水晶体嚢へ組み込むための複数の光学眼内レンズ（ＩＯＬ）の骨組の組立品の透視図である。
【図１Ｂ】本明細書における一実施形態に関する、複数の光学部品を有するヒンジ型ＩＯＬにおけるかご型骨組構造の側面図である。
【図２】本明細書における一実施形態に関する、複数の光学部品を有するヒンジ型ＩＯＬにおけるリブ構造の側面図である。
【図３】本明細書における一実施形態に関する、複数の光学部品を有するヒンジ型ＩＯＬにおける薄い弾性バンドを有する動的結合部の側面図である。
【図４】本明細書における一実施形態に関する、複数の光学部品を有するヒンジ型ＩＯＬにおけるバネを有する動的結合部の側面図である。
【図５】本明細書における一実施形態に関する、振子型眼内レンズの組立品のための骨組構造デザインの側面図である。
【図６】本明細書における一実施形態に関する、振子型眼内レンズの組立品の側面図である。
【図７】本明細書における一実施形態に関する、吊り用領域および前方レンズ（光学部品）のみを示している振子型眼内レンズの組立品の正面図である。
【図８】本明細書における一実施形態に関する、通常の状況での振子型眼内レンズの組立品の側面図である。
【図９】本明細書における一実施形態に関する、短焦点のために下方を注視するなかでの振子型眼内レンズの組立品の側面図である。
【図１０】本明細書における一実施形態に関する、ノブによって保持されている、振子型レンズの側面図である。
【００２８】
本明細書の実施形態の詳細な特徴点は、いくつかの図面によって示されるが、他には示されていない。これは、各特徴が本明細書の実施形態に基づく任意のまたはすべてのそのほかの特徴と組み合わされうるからに過ぎない。
【発明を実施するための形態】
【００２９】
以下の詳細な説明において、本明細書の一部を形成する添付の図面を参照する。そして、実施されうる具体的な実施形態は、例として示されている。これらの実施形態は、当業者が本実施形態を実施できるように十分詳細に説明されている。そして、論理的、機械的、および他の変更が、本実施形態の範囲から離れることなく行われうることが理解される。それゆえ、以下の詳細な説明は、限定する意味で理解すべきではない。
【００３０】
複数の光学眼内レンズ（ＩＯＬ）の骨組の組立品は、環状のプラットフォームを覆い、かつ、囲むために配置されたヒンジ保護用アンブレラを有した環状のプラットフォームを備えている。前方光学レンズおよび後方光学レンズを含んだレンズ光学部品は、上記環状のプラットフォームによって支持されている。前方リブは、上記前方光学レンズを支持するために上記環状のプラットフォームにヒンジで連結されており、後方リブは、上記後方光学レンズを支持するために上記環状のプラットフォームにヒンジで連結されている。上記後方リブおよび上記前方リブは、複数の動的弾性バネ結合部を介して連結されている。上記前方リブおよび上記後方リブは、上記環状のプラットフォームおよび上記レンズ光学部品に固定され、かつ、哺乳類の目の白内障手術の間、水晶体嚢内に収まっている。
【００３１】
本明細書の一実施形態によれば、上記前方リブおよび上記後方リブは、ヒンジシステムを介して固定され、それによって、上記前方リブ、上記後方リブおよび上記レンズ光学部品が互いに、近づいたり離れたりする。
【００３２】
本明細書の一実施形態によれば、複数の光学眼内レンズ（ＩＯＬ）の骨組の組立品は、さらに、複数の放射状に配置された細いリブであって、凸型に形成された外部表面を有した細いリブを備えており、上記複数の放射状に配置された細いリブは、互いに離間している。上記複数の根本的に配置された細いリブの間の空間は、開放されているか、または、網を形成する医学的に覆われた透明な外科用材料で覆われている。
【００３３】
上記前方リブおよび上記後方リブは、上記動的弾性バネ結合部によって互いに接続されている。上記前方リブおよび上記後方リブは、上記前方リブおよび上記後方リブがヒンジのまわりを旋回するように、上記ヒンジで接続されている。
【００３４】
本明細書の一実施形態によれば、複数の光学眼内レンズ（ＩＯＬ）の骨組の組立品は、さらに、水晶体前嚢を裏打ちする１以上の第１のリブ群と、水晶体後嚢を裏打ちする１以上の第２のリブ群を備えている。上記前方リブは、目の水晶体嚢の水晶体前嚢に近接した前方の環に接合され、上記後方リブは、水晶体嚢の水晶体後嚢上にある眼内レンズの支持部に接合されている。上記前方の環は、ひとつの眼内レンズシステムまたは二焦点の眼内レンズシステムまたは多焦点の眼内システム、または、そのほかのレンズシステムを保持する。
【００３５】
本明細書の一実施形態によれば、それぞれの上記動的弾性バネ結合部は、さらに、硬質ロッド、前方ロッドおよび後方ロッドを備えている。上記前方ロッドは上記前方リブに接続されており、上記後方ロッドは、上記後方リブに接続されている。上記前方ロッドおよび上記後方ロッドは、入れ子式に連結されている。
【００３６】
本明細書の一実施形態によれば、上記後方ロッドおよび上記前方ロッドを互いに遠ざかるように押すために、入れ子式部分の内部にバネが配置されている。上記前方ロッドおよび上記後方ロッドを互いに近くに引き寄せるように、上記入れ子式部分の外部に弾性バンドが配置されている。上記バネは、上記前方ロッドおよび上記後方ロッドに外側に作用する押力をかける。また、上記弾性バンドは、内側に作用する引張力をかける。上記バネに働く上記押力は、上記弾性バンドの上記引張力と対抗する。上記バネの外側に押すベクトル力が、静止状態において、上記弾性バンドの内側に引くベクトル力よりわずかに大きくなるように、上記バネの上記外側に押すベクトル力および上記弾性バンドの上記内側に引くベクトル力は、不均等に調整されている。
【００３７】
複数の光学眼内レンズ（ＩＯＬ）の骨組の組立品のための振子型レンズの組立品は、骨組構造と、上記骨組構造に備えられた環状のプラットフォームと、を備えている。上記環状のプラットフォームを覆い、かつ、囲むためにヒンジ保護用アンブレラが備えられている。下端に重りを有した前方光学レンズおよび後方光学レンズを含んでいるレンズ光学部品は、上記環状のプラットフォームによって支持されている。前方リブは、上記前方光学レンズを支持するために上記環状のプラットフォームにヒンジで連結されており、後方リブは、上記後方光学レンズを支持するために上記環状のプラットフォームにヒンジで連結されている。上記前方リブおよび上記後方リブは、上記環状のプラットフォームおよび上記レンズ光学部品に固定され、かつ、哺乳類の目の白内障手術の間、水晶体嚢内に収まっている。
【００３８】
本明細書の一実施形態によれば、上記前方レンズは、複数の糸で自由に吊るされている。上記後方レンズおよび上記前方レンズは、互いに並列に、かつ、互いに近くに配置されている。上記後方レンズおよび上記前方レンズの光軸は、目が前方に注視しているとき、同軸である。上記前方レンズの光軸は、わずかな軸外偏向を有した上記後方レンズの視軸と一直線状になっている。
【００３９】
本明細書の一実施形態によれば、上記後方レンズは、目と共に下を向き、上記前方レンズは、水晶体前嚢に向かって前方に動く。よって、目が下向きに注視しているとき、上記後方レンズおよび上記前方レンズの間の距離は増加する。
【００４０】
本明細書の一実施形態によれば、上記環状のプラットフォームは、上記水晶体嚢の赤道領域に位置しており、上記環状のプラットフォームは、上記赤道領域上で、上記前方リブおよび後方リブに適合し、かつ、把持するように設けられている。上記環状のプラットフォームは、さらに、自由に吊るされた前方レンズを支えるための吊り用プラットフォーム（吊り用領域）を備えている。上記環状のプラットフォームは、さらに、後方側の上記後方レンズに固定されており、放射状に配置された複数の細いリブ、および、前方側の空の環に固定されており、放射状に配置された複数の細いリブを備えている。
【００４１】
図１Ａは、被験者の目の水晶体嚢へ組み込むための複数の光学眼内レンズ（ＩＯＬ）の骨組の組立品の透視図を示したものである。図１Ａに示されるように、リブ１０２ａ、リブ１０２ｂおよび環状のプラットフォーム１０１の配置を有した上記複数の光学眼内レンズの骨組の組立品１０６が、目の水晶体嚢を支持している上記目に挿入されることを示している。図１Ｂは、本明細書の一実施形態に関する、複数の光学眼内レンズ（ＩＯＬ）の骨組の組立品の側面図を示している。本発明のＩＯＬの骨組の組立品１０６は、環状のプラットフォーム１０１を備えている。図１に示されているように、環状のプラットフォーム１０１は、薄い輪の形状をしている。一群の細いリブ１０２ａおよび一群の細いリブ１０２ｂが、環状のプラットフォーム１０１から伸ばされている。一群の細いリブ１０２ａおよび一群の細いリブ１０２ｂは、ヒンジシステム１０７を通って、環状のプラットフォーム１０１から伸ばされている。一群のリブ１０２ａは、目の水晶体嚢の水晶体前嚢を支持するよう配置されており、もう一方の一群のリブ１０２ｂは、水晶体嚢の水晶体後嚢を支持するよう配置されている。前方リブ１０２ａは、前方の環１０３に接しており、後方リブ１０２ｂは、レンズ嚢（水晶体嚢）の水晶体後嚢にある、ＩＯＬ光学部品（主要光学部品１０４）の支持部に接している。前方リブ１０２ａと後方リブ１０２ｂとは、それぞれのヒンジによって環状のプラットフォーム１０１に接合されている。前方リブ１０２ａと後方リブ１０２ｂは放射状に配置され、外に向かって突き出た凸面構造を有している。ヒンジ１０７により、前方リブ１０２ａと後方リブ１０２ｂが互いに近づいたり離れたりできる。リブはそれぞれ、水晶体後嚢の混濁および水晶体前嚢の混濁を抑制するための方形の縁１０５を有している。
【００４２】
本明細書の一実施形態によれば、環状のプラットフォーム１０１の直径は、９ｍｍから１６ｍｍであり、好ましい直径は１３ｍｍである。前方リブ１０２ａおよび後方リブ１０２ｂの数は、４から２４である。前方リブ１０２ａと後方リブ１０２ｂとの間の空間は開放されているか、「網（web）」を形成する医学的に覆われた透明な外科用材料で覆われている。
【００４３】
本明細書の一実施形態によれば、前方の環１０３は、少なくとも５ｍｍから８ｍｍの直径を有している。前方の環は、水晶体前嚢（部分的または全体的）に対向するまたは接するように配置され、破裂（rhexsis）の近接した位置にしっかりと取り付けられている。骨組構造１０６の前方の環１０３は、二焦点ＩＯＬシステムを形成するための他の目またはレンズを保持しても良く、単一のＩＯＬシステムを形成するために空いたままにしておいても良い。システムでの支持部の数は、２から８である。
【００４４】
図２は、本明細書の他の実施形態に関する、複数の目の組立品を有するヒンジ型ＩＯＬにおけるリブ構造の側面図を示している。ヒンジ型ＩＯＬの組立品は、２つの光学部品、すなわち、前方レンズ２０６ａおよび後方レンズ２０６ｂが備えられた二焦点レンズシステムを有している。２つのレンズそれぞれが、前方リブ１０２ａおよび後方リブ１０２ｂ経由で、環状のプラットフォーム１０１に接続されている。ヒンジ保護用アンブレラ２０１は、環状のプラットフォーム１０１を覆い囲むために備えられている。後方レンズ２０６ｂは、後方に角張らされて（湾曲させられて）おり、前方レンズ２０６ｂは、前方に湾曲させられている。
【００４５】
本明細書の一実施形態によれば、前方リブ１０２ａおよび後方リブ１０２ｂは、バネ２０７および弾性バンド２０５を組み合わせである独特な動的結合部によって接続されている。また、前方リブ１０２ａおよび後方リブ１０２ｂは、前方リブ１０２ａおよび後方リブ１０２がまわりを旋回するヒンジ２０２で接続されている。それぞれのリブは、水晶体後嚢の混濁および水晶体前嚢の混濁を抑制するために設けられた方形の縁１０５を有している。
【００４６】
本明細書の一実施形態によれば、独特な動的結合部は、硬質ロッド２０４と、前方リブ１０２ａに接続されている前方ロッド２０３ａと、後方リブ１０２ｂに接続されている後方ロッド２０３ｂとからなる。前方ロッドおよび後方ロッドは連結され、互いに入れ子式に動かされる。バネ２０７は入れ子式部分の内部に配置されている。バネ２０７は、２つのロッドが互いに遠ざかるように、前方ロッド２０３ａおよび後方ロッド２０３ｂを押す性質を有している。また、ヒンジ型ＩＯＬの組立品は、前方ロッド２０３ａおよび後方ロッド２０３ｂを互いに近くに引き寄せる性質を有した１以上の弾性バンド２０５を包含している。弾性バンドは、入れ子式結合部の外に取り付けられている。したがって、バネ２０７による前方ロッド２０３ａおよび後方ロッド２０３ｂを外側に押す力は、弾性バンド２０５の内側に引く力によって対抗されている。静止状態において、バネ２０７の外側に押す力が、弾性バンド２０５の内側に引く力よりわずかに大きくなるように、バネ２０７の外側に押すベクトル力と弾性バンド２０５の内側に引くベクトル力が少しだけ不均等になるように注意深く調整されている。本発明の一実施形態によれば、毛様体および毛様小帯のベクトル力次第で、上述とは反対の調整もなされている。
【００４７】
本明細書の一実施形態によれば、独特な動的結合部の数は、２から１６である。独特な動的結合部は、リブ１０２ａおよびリブ１０２ｂと同一材料からできているが、強く、丈夫で堅い。独特な動的結合部は、環状のプラットフォーム１０１からおよそ１ｍｍから３ｍｍ離れた距離に位置している。
【００４８】
本明細書の一実施形態によれば、前方リブ１０２ａおよび後方リブ１０２ｂが、薄い人工膜または材料を介して、隣接するリブと相互に連結されている。それにより、元のレンズ被膜が所定の場所に保持され、上記レンズ被膜が縮むのを防いでいる。好ましくは、薄い人工膜または材料には、最適な薬物が添加される。
【００４９】
本明細書の一実施形態によれば、ヒンジ保護用アンブレラ２０１は、骨組構造における環状のプラットフォーム１０１のなかに配置されたヒンジ２０２に備えられている。ヒンジ保護用アンブレラ２０１は、環状のプラットフォーム１０１を覆うように設けられた３６０度保護用アンブレラである。ヒンジ保護用アンブレラ２０１は、水晶体嚢の赤道に位置している。ヒンジ保護用アンブレラ２０１は、ヒンジ２０２のプラットフォームから伸びているロッド２０４によって支持されている。ヒンジ保護用アンブレラ２０１は、外科用材料からできている。ヒンジ保護用アンブレラ２０１は薄く、本来の形状を記憶して曲げられる。ヒンジ保護用アンブレラ２０１は、赤道から伸び、水晶体嚢が、ちょうどヒンジシステム２０２および環状のプラットフォーム１０１上に縮まないほどに環状のプラットフォーム１０１から離れたところで止められている。
【００５０】
本明細書の一実施形態によれば、複数の光学眼内レンズ（ＩＯＬ）の骨組の組立品は、２つのレンズ、すなわち、前方レンズ２０６ａと後方レンズ２０６ｂとを包含している。前方レンズ２０６ａおよび後方レンズ２０６ｂの屈折力は、同じまたは同じでない方法で、終端の間で分けられている。前方レンズ２０６ａと後方レンズ２０６ｂは、任意の外科用材料からできている。方形の形状をした後方の縁の表面は、水晶体後嚢の混濁の可能性が減るように設計されている。上記光学部品（前方レンズ２０６ａと後方レンズ２０６ｂ）は、単焦点、二焦点、または、多焦点である。前方レンズ２０６ａおよび後方レンズ２０６ｂは、屈折、回折、またはその両方の構造を組み合わせたものである。
【００５１】
図３は、本明細書の一実施形態に関する、複数の光学眼内レンズ（ＩＯＬ）の骨組の組立品の薄い弾性バンドを有する独特な動的結合部の側面図を示しており、図４は、本発明の一実施形態に関する、複数の光学眼内レンズ（ＩＯＬ）の骨組の組立品のバネを有する独特な動的結合部の側面図を示している。図３および図４に関して、独特な動的結合部は、硬質ロッド、前方ロッドおよび後方ロッドからなる。前方ロッドは前方リブに接続されており、後方ロッドは後方リブに接続されている。前方ロッドおよび後方ロッドは、図２に示されているように互いに入れ子式に連結されている。図４に示されているように、バネ２０７（図４）は、前方ロッドおよび後方ロッドを互いに遠ざかるように押す性質を有しており、入れ子式部分の内部に備えられている。図３に示されているように、弾性バンド２０５は、前方ロッドおよび後方ロッドを互いに引き寄せる性質を有しており、入れ子式部分の外部に配置されている。
【００５２】
ロッド（前方ロッドと後方ロッド）における、バネ２０７（図４）の外側に作動している「押す」力は、弾性バンド２０５（図３）の内側に作動している「引く」力によって対抗されている。静止状態において、バネ２０７（図４）の外側に押す力が、弾性バンド２０５（図３）の内側に引く力よりもわずかに大きくなるように、バネ２０７（図４）の外側に押すベクトル力と弾性バンド２０５（図３）の内側に引くベクトル力とが少しだけ不均等になるように注意深く調整されている。毛様体および毛様小体のベクトル力次第で、上記とは反対の調整もなされている。
【００５３】
図５は、本明細書の一実施形態に関する、振子型眼内レンズの組立品のための骨組構造デザインの側面図を示している。振子型ＩＯＬの組立品は、レンズ被膜の赤道の内側を覆う環状のプラットフォーム１０１と呼ばれる円状の輪を包含している。後方の骨組のリブ１０２ｂは、環状のプラットフォーム１０１から外側に放射状に広がり、後方側の主要な後方レンズ１０４に取付けられている。同様に、前方の骨組のリブ１０２ａは、環状のプラットフォーム１０１から外側に放射状に広がり、前方側の空の環５０２に取付けられている。前方の骨組のリブ１０２ａおよび後方の骨組のリブ１０２ｂは細いリブである。本発明の環状のプラットフォーム１０１は、１２時の位置のプラットフォーム５０１および６時の位置のプラットフォーム５０３を有している。１２時の位置の環状のプラットフォーム５０１が、第２のレンズとしても知られる振子型目の組立品を吊るすことを助けている。
【００５４】
図６は、本明細書の一実施形態に関する、振子型眼内レンズの組立品の側面図を示している。図５に示すように、振子型ＩＯＬ組立部品は、骨組構造内に配置されている。主要光学部品１０４は、被膜の後方領域において、後方リブによって保持されている。図５に示されているように、主要光学部品１０４が、１２時の位置の環状のプラットフォーム５０１に配置されている。第２の光学部品６０１は、その下部の表面に取付けられた重り６０２を有している振子のように吊るされている。１２時の位置の環状のプラットフォーム５０１は、ヒンジシステム６０３を有している。光学部品１０４は、同様に、６時の位置の環状のプラットフォーム５０３に接続されている。
【００５５】
図７は、本明細書の一実施形態に関する、吊り用領域および前方レンズ（光学部品）のみを示している振子型眼内レンズの組立品の正面図を示している。図７に示されているように、振子型ＩＯＬは更に、１２時の位置５０１に中心が置かれた吊り用領域（ヒンジ）５０１ａを含んでいる。吊り用領域５０１ａは、重り６０２を下部に有する前方光学部品６０１であって、自由に吊り下げられている前方光学部品６０１を支持する吊り用の糸７０１を有している。吊り用の糸７０１の長さは、前方光学部品６０１の正確な中心を確保するために調整されている。吊り用の糸７０１は、ヒンジシステム６０３を通って吊り用領域５０１ａに接続されている。図７に示されているように、本発明の環状のプラットフォーム１０１は、１２時の位置のプラットフォーム５０１を有している。図７に示されているように、保護用アンブレラ７０４は、環状のプラットフォームを部分的におおい、囲んでいる。
【００５６】
図８は、本明細書の一実施形態に関する、通常の状況での振子型眼内レンズの組立品の側面図を示している。水晶体後嚢８０１の主要光学部品１０４（後方レンズ）は、目と共にまっすぐまたは下方を向く。通常の状況において、１２時の位置に配置された環状のプラットフォーム５０１から重り６０２と共に、吊り用の糸７０１により自由に吊り下げられた振子型光学部品６０１（前方レンズ）は、主要光学部品１０４（後方レンズ）と整列して並べられている。そして、重り６０２にかかる重力の効果により、短焦点に対し下方を注視する間、自由に吊り下げられた振子型光学部品６０１（前方レンズ）が、空の環５０２に備えられた水晶体前嚢８０２に向かって前方に動き、これにより、２つの光学部品（後方レンズ１０４および前方レンズ６０１）間の距離が増加したり減少したりする。前方光学部品６０１の屈折力は、振子型眼内レンズシステムにおける近くでの焦点合わせを可能にするために、増加した距離が、＋２．５から＋４．０ジオプターのさらなる屈折力を生み出すように調整される。
【００５７】
図９は、本明細書の一実施形態に関する、短焦点のために下方の注視位置での振子型眼内レンズの組立品の側面図を示している。図９に関して、水晶体後嚢８０１の主要光学部品１０４（後方レンズ）は、目と共に下方を向いている。重り６０２を伴った自由に吊り下げられた振子型光学部品６０１（前方レンズ）は、重り６０２にかかる重力効果のために、水晶体前嚢８０２に向かって前方に動く。このことは、２つの光学部品（後方レンズ１０４および前方レンズ６０１）の間の距離を増加させる。前方光学部品６０１の屈折力は、振子型眼内レンズシステムにおける近くでの焦点合わせを可能にするために、増加した距離が、＋２．５から＋４．０ジオプターのさらなる屈折力を生み出すように調整される。
【００５８】
目が前方を注視しているとき、後方レンズ１０４および前方レンズ６０１（振子型光学部品）は平行のままであり、互いに最も近い位置にある。そして、それらの視軸は、遠くの物体に焦点を合わせることができる。
【００５９】
図１０は、本明細書の一実施形態に関する、ノブ１１１によって保持されている、振子型レンズの側面図を示している。図１０に関して、重り６０２を有する振子型レンズ６０１（前方レンズ）は、ノブ１１１および広がった表面を持つ糸７０１を通って、軸に対して回転して動くことを可能にするために、環状のプラットフォームから支持されている。
【００６０】
本発明における様々な実施形態は、レンズ被膜の虚脱を防ぎ、上記被膜の形状を維持する骨組構造を提供している。本発明は、単焦点または二焦点レンズシステムを提供する複数の光学のレンズの組立品を提供する。本発明は、毛様体に基づいて動くことによって調整される複数の光学レンズの組立品を提供し、これにより、様々な物体の焦点合わせが可能となる。本発明は、動的弾性結合部の外側に引く力が、水晶体嚢の剛性を維持するように、動的弾性結合部を有する複数の光学レンズの組立品を提供する。本発明は、その保護部によって水晶体嚢が、ヒンジシステムおよび環状のプラットフォームの上で縮小することを防ぐための、３６０度保護用アンブレラを有する複数の光学レンズの組立品を提供する。
【００６１】
本発明における振子型レンズの組立品は、遠くに焦点を合わせるように設計されたレンズシステムを使用して読み書きする間、近くの物体に対してレンズの焦点合わせをすることを可能とする。本発明のレンズの組立品は、レンズを格納している水晶体嚢が無傷かつ剛性に保つための骨組構造を有している。水晶体後嚢および水晶体前嚢の特定化が再開される間、および、収縮している間、分子が吸収されるように、前方に炎症性のある化学コーティングをしたレンズが提供される。それぞれのリブは、水晶体前嚢および水晶体後嚢の混濁を抑制するように設計された方形の形状をした縁を有している。
【００６２】
先に記述した本発明の特定の実施形態は、本明細書における実施形態の一般的な性質が完全に明らかにしうる。他の者が現行の知識を用いて、一般的な概念から始めることなしに、特定の実施形態のような様々な形態に容易に修正および／または適用可能である。したがって、その適用および修正は、開示された実施形態と同じ意味および範囲内で含まれていることを意味している。本発明において使用された表現や用語は記述目的であり、制限するものではない。したがって、本明細書の実施形態は、好ましい実施形態に関して記述されているが、当業者は、本明細書の実施形態が、添付された請求項の特質および範囲内における修正によって実施されうることがわかるであろう。
【００６３】
本明細書の実施形態は、様々な特定の実施形態で記述されているが、当業者が、修正を加えて本明細書の実施形態を実施することは明らかであろう。しかし、それらの修正すべては、請求項の範囲内で実施されていると考えられる。
【００６４】
以下の請求項は、本明細書に記述した実施形態すべての一般および特定の特徴、および、実施形態の範囲の全ての記述を包含することを目的としており、用語として、実施形態は、これらの間で実現されると考えられる。
【手続補正２】
【補正対象書類名】特許請求の範囲
【補正対象項目名】全文
【補正方法】変更
【補正の内容】
【特許請求の範囲】
【請求項１】
被験者の目の水晶体嚢内へ組み込むための複数の光学眼内レンズ（ＩＯＬ）の骨組の組立品であって、
前方光学レンズを有した前方の環であって、上記水晶体嚢の前方領域に配置された前方の環と、
上記水晶体嚢の後方領域に配置された後方光学レンズと、
上記前方の環および上記後方光学レンズから放射状に伸びるように配置された複数の移動可能な前方および後方リブであって、複数のヒンジを介して環状のプラットフォームに固定された複数の移動可能な前方および後方リブと、
上記環状のプラットフォームを囲むために配置されたヒンジ保護用アンブレラと、
上記前方および後方リブに操作可能に接続された複数の動的弾性バネ結合部と、を備えている、ＩＯＬの骨組の組立品。
【請求項２】
上記前方リブおよび後方リブは、上記環状のプラットフォームに固定されており、かつ、上記前方および後方リブが互いに、近づいたり離れたりするように配置されている、請求項１に記載のＩＯＬの骨組の組立品。
【請求項３】
上記前方および後方リブは、間に空間を有した凸型である、請求項１に記載のＩＯＬの骨組の組立品。
【請求項４】
上記前方および後方リブは、医学的に覆われた網であって、透明な外科用材料で作られた網で覆われている、請求項１に記載のＩＯＬの骨組の組立品。
【請求項５】
上記前方リブおよび上記後方リブは、旋回動作のために複数のヒンジに旋回可能に接続されている、請求項１に記載のＩＯＬの骨組の組立品。
【請求項６】
上記前方レンズは、単一の眼内レンズシステムまたは二焦点眼内レンズシステムまたは多焦点の眼内システムを保持する、請求項１に記載のＩＯＬの骨組の組立品。
【請求項７】
上記環状のプラットフォームは、前方および後方リブを支持するために上記水晶体嚢の赤道領域に配置されている、請求項１に記載のＩＯＬの骨組の組立品。
【請求項８】
上記複数の動的弾性バネ結合部は、
硬質ロッドと、
前方ロッドと、
後方ロッドと、を備え、
上記前方ロッドは前方リブに接続されており、上記後方ロッドは後方リブに接続されており、上記前方ロッドおよび上記後方ロッドは、互いに入れ子式に連結されている、請求項１に記載のＩＯＬの骨組の組立品。
【請求項９】
上記前方および後方ロッドを接続するために、内部にバネが配置されており、上記バネは、上記後方ロッドおよび上記前方ロッドを互いに遠ざかるように押すために配置されている、請求項８に記載のＩＯＬの骨組の組立品。
【請求項１０】
上記前方および後方ロッドを接続するために、外部に複数の弾性バンドが配置されており、上記弾性バンドは、上記前方ロッドおよび上記後方ロッドを互いに近くに引き寄せるように配置されている、請求項８に記載のＩＯＬの骨組の組立品。
【請求項１１】
被験者の目の水晶体嚢内へ組み込むための多焦点眼内レンズ（ＩＯＬ）の骨組の組立品であって、
（ａ）上記水晶体嚢の前方領域に配置された前方光学レンズを有した前方の環と、
（ｂ）上記水晶体嚢の後方領域に配置された後方光学レンズと、
（ｃ）上記前方の環および上記後方光学レンズから放射状に伸びるように配置された複数の移動可能な前方および後方リブであって、環状のプラットフォームに固定された複数の移動可能な前方および後方リブと、
（ｄ）上記環状のプラットフォームに接続された吊り用プラットフォームと、
（ｅ）上記吊り用プラットフォームから吊り下げられた移動可能かつ加重された前方レンズであって、上記後方レンズおよび前方の環の間に配置された移動可能かつ加重された前方レンズと、を備えている、ＩＯＬの骨組の組立品。
【請求項１２】
上記前方レンズは、複数の糸で自由に吊るされている、請求項１１に記載のＩＯＬの骨組の組立品。
【請求項１３】
上記後方レンズおよび上記前方レンズは、互いに並列で、近接しており、上記後方レンズおよび上記前方レンズの光軸は、目が前方の注視位置にあるとき、同軸である、請求項１１に記載のＩＯＬの骨組の組立品。
【請求項１４】
上記後方レンズおよび上記前方レンズは、目が下向きの注視位置にあるとき、お互いに角度を有し、かつ、離れている、請求項１１に記載のＩＯＬの骨組の組立品。
【請求項１５】
上記前方レンズの光軸は、わずかな軸外偏向を有した上記後方レンズの上記視軸と一直線状になっている、請求項１１に記載のＩＯＬの骨組の組立品。
【請求項１６】
上記環状のプラットフォームは、上記水晶体嚢の赤道領域に位置しており、上記環状のプラットフォームは、上記赤道領域上で、上記水晶体前嚢および水晶体後嚢に適合し、かつ、把持するように設けられている、請求項１１に記載のＩＯＬの骨組の組立品。
【請求項１７】
伸長可能な糸を用いて、上記環状のプラットフォームのノブから回転可能、移動可能および加重された前方レンズが吊り下げられており、上記前方レンズは、上記後方レンズおよび上記前方の環の間に配置されている、請求項１１に記載のＩＯＬの骨組の組立品。
【手続補正３】
【補正対象書類名】図面
【補正対象項目名】全図
【補正方法】変更
【補正の内容】
【図１Ａ】
2013528098.tif 000013
【図１Ｂ】
2013528098.tif 000014
【図２】
2013528098.tif 000015
【図３】
2013528098.tif 000016
【図４】
2013528098.tif 000017
【図５】
2013528098.tif 000018
【図６】
2013528098.tif 000019
【図７】
2013528098.tif 000020
【図８】
2013528098.tif 000021
【図９】
2013528098.tif 000022
【図１０】
2013528098.tif 000023
【手続補正書】
【提出日】平成24年9月16日(2012.9.16)
【手続補正１】
【補正対象書類名】明細書
【補正対象項目名】全文
【補正方法】変更
【補正の内容】
【発明の詳細な説明】
【技術分野】
【０００１】
本明細書の実施形態は、一般的な眼科用レンズ、特に、哺乳類の目に挿入されるための挿入可能な眼内レンズに関する。さらに、本明細書の実施形態は、より具体的には、目のある眼球被膜を無傷に保つための動的結合部を備えた、上記目の水晶体嚢内への組み込みのための複数の光学眼内レンズ（ＩＯＬ）の骨組の組立品、および、近くや遠くの物体に対する視覚画像を調整するための振子型眼内レンズの組立品に関する。
【背景技術】
【０００２】
眼内レンズ（ＩＯＬ）は、水晶体が白内障によって全体的に白濁した場合、または、目の屈折率を変化するための屈折矯正手術の方法として、哺乳類の目に、通常、既存の水晶体を取り換えて、挿入されるレンズである。これは、通常、哺乳類の目の内側の水晶体嚢（capsular bag）内の所定の位置にレンズを保持するために、支持部（haptics）と呼ばれるプラスチック製の横支柱（side struts）を有する小さなプラスチックレンズで構成されている。大部分では、柔軟性のある材質を用いることに、取って変わっているが、ＩＯＬは、従来では、柔軟性のない材質（ポリメチルメタクリレート）で作られていた。現在に適したほとんどのＩＯＬは、遠視力に適合した固定的な単焦点性レンズ（monofocal lenses）である。しかしながら、現在、利用可能なレンズの他のタイプは、多焦点性（multifocal）ＩＯＬ、および適応性ＩＯＬである。多焦点性ＩＯＬは、遠くおよび読書距離に複数の焦点を当てた画像を患者にもたらす。そして、適応性ＩＯＬは、制限された視覚調整を患者にもたらす。
【０００３】
ＩＯＬインプランテーションは、感染症、水晶体の回転、炎症および夜間の見辛さ（night time halos）のような、目の手術に関連したいくつかのリスクを持っている。また、レンズ被膜は、自身の階調を損失し、長年にわたり虚脱し始める。これらのＩＯＬの最大の欠点は、ＩＯＬがレンズ被膜の緩みを防げないことである。現在において、眼球被膜を無傷に保つためのシステムおよび方法はない。それゆえ、目のレンズ被膜を無傷に保ち、それによって、レンズ被膜の虚脱を防ぐ新しいシステムが必要である。
【０００４】
調節型レンズ（Accommodating Lens）は、動かされ、調節され、あるいはその反対で、自身が全ての距離の見ることを可能にするように変更させられるレンズである。多焦点性レンズ（Multi-Focal Lenses）とは異なって、調節型レンズは、白内障手術の間に除去される水晶体（natural lens）により近い。上記水晶体は、自身の形を変えるレンズを付ける筋肉を有しており、目に焦点を当てることを可能にしている。調節型レンズは、これと同様の機能性を有することを目的としている。
【発明の概要】
【発明が解決しようとする課題】
【０００５】
二重の目のレンズ（Dual-Optic Lenses）は、２つの目またはレンズを有したレンズである。二重光学レンズは、これらの低感度、視感度の損失、および分解特性のせいで不成功である。これらは、必要なとき、特に、読み書きの間、近くの物体に焦点を当てることができない。
【０００６】
それゆえ、読み書きの間、効果的および効率的に近くの物体の急速焦点を提供するための良好な集束力を有した対の光学レンズシステムが必要である。
【０００７】
更に、現在、眼球被膜を無傷に保つことができるシステムおよび方法がない。それゆえ、目のレンズ被膜を無傷に保ち、それによって、レンズ被膜の虚脱を防ぐ新しいシステムがさらに必要である。
【０００８】
以上に述べた短所、欠点および問題点は、ここに説明され、以下の明細書を解釈することによって理解されるであろう。
【課題を解決するための手段】
【０００９】
〔実施形態の目的〕
本明細書の実施形態における第１の目的は、元の水晶体の形を維持し、目のレンズ被膜を所定の位置で無傷に保ち、それによって、レンズ被膜の虚脱を防ぐ骨組構造（scaffold structure）を備えた、複数の光学部品（multi-optics assembly）を有したヒンジ型ＩＯＬを開発することである。
【００１０】
本明細書の実施形態における他の目的は、毛様体筋力（cilliary body muscle forces）に反応したヒンジに関する目またはレンズの動きについてより大きな自由を可能にする骨組構造を備えた、複数の光学部品を有したヒンジ型ＩＯＬを開発することである。
【００１１】
本明細書の実施形態におけるさらに他の目的は、医薬品に含浸させた骨組構造を備えた、複数の光学部品を有したヒンジ型ＩＯＬを開発することである。
【００１２】
本明細書の実施形態におけるさらに他の目的は、容易に、効果的に、迅速に、および、特に近くの物体対して、特に読み書きの間、焦点を当てるために、遠くのおよび近くの物体に焦点を当てることができる振子型レンズの組立品を備えた二焦点レンズの組立品を開発することである。
【００１３】
本明細書の実施形態におけるさらに他の目的は、加重レンズ（weighted lens）の組立品を自由に動かし、かつ、範囲内で垂直に保つことを可能にする振子型レンズの組立品を提供することである。
【００１４】
本明細書の実施形態におけるさらに他の目的は、通常の注視の間、（注視の水平位置の画像に対して）注視の距離のために設計されている光学システムの短焦点を可能にする２つのレンズの間の距離を増加するために、加重レンズの組立品を自由に動かすことを可能にする振子型レンズの組立品を提供することである。
【００１５】
これら、並びに、そのほかの目的および本明細書の実施形態の利点は、添付の図面と共に以下の明細書を検討することにより、容易に理解されるであろう。
【００１６】
〔要約〕
骨組構造を有した複数の光学部品を備えた眼内レンズは、環状のプラットフォームと、上記環状のプラットフォームを覆い、かつ、囲むために備えられたヒンジ保護用アンブレラと、前方光学レンズおよび後方光学レンズを含んだレンズ光学部品と、上記前方光学レンズを支持するために上記環状のプラットフォームにヒンジで連結された複数の前方リブと、上記後方光学レンズを支持するために上記環状のプラットフォームにヒンジで連結された複数の後方リブと、複数の動的弾性バネ結合部と、を含んでいる。上記複数の前方リブおよび上記複数の後方リブは、上記環状のプラットフォームおよび上記レンズ光学部品に固定され、かつ、哺乳類の目の白内障手術の間、水晶体嚢内に収まっている。
【００１７】
本明細書の一実施形態によれば、上記複数の前方リブおよび上記複数の後方リブは、ヒンジシステムを介して固定され、それによって、上記複数の前方リブ、上記複数の後方リブおよび上記レンズ光学部品が互いに、近づいたり離れたりする。
【００１８】
本明細書の一実施形態によれば、上記骨組構造は、さらに、複数の放射状に配置された細いリブであって、凸型に形成された外部表面を有した細いリブを備えている。上記複数の放射状に配置された細いリブは、互いに離間している。上記複数の放射状に配置された細いリブの間の空間は、開放されているか、または、網（web）を形成する医学的に覆われた透明な外科用材料で覆われている。
【００１９】
上記複数の前方リブおよび上記複数の後方リブは、上記複数の動的弾性バネ結合部によって互いに接続されている。上記複数の前方リブおよび上記複数の後方リブは、上記複数の前方リブおよび上記複数の後方リブがヒンジのまわりを旋回するように、上記ヒンジにて接続されている。
【００２０】
本明細書の一実施形態によれば、上記複数の光学眼内レンズ（ＩＯＬ）の骨組の組立品は、さらに、水晶体前嚢を裏打ちする１以上の第１のリブ群と、水晶体後嚢を裏打ちする１以上の第２のリブ群を備えている。上記前方リブは、水晶体前嚢に近接した前方の環に接合され、上記後方リブは、水晶体嚢の水晶体後嚢上にある眼内レンズの支持部に接合されている。上記骨組構造の上記前方の環は、単一の眼内レンズシステムまたは二焦点眼内レンズシステムまたは多焦点の眼内システム、または、そのほかのレンズシステムを保持する。
【００２１】
本明細書の一実施形態によれば、それぞれの上記動的弾性バネ結合部は、さらに、硬質ロッド、前方ロッドおよび後方ロッドを備えている。上記前方ロッドは上記前方リブに接続されており、上記後方ロッドは、上記後方リブに接続されている。上記前方ロッドおよび上記後方ロッドは、互いに入れ子式に連結されている。
【００２２】
本明細書の一実施形態によれば、上記後方ロッドおよび上記前方ロッドを互いに遠ざかるように押すために、入れ子式部分の内部にバネが配置されている。上記前方ロッドおよび上記後方ロッドを互いに近くに引き寄せるように、上記入れ子式部分の外部に弾性バンドが配置されている。上記バネは、上記前方ロッドおよび上記後方ロッドに外側に向かって作用する押力をかける。また、上記弾性バンドは、内側に向かって作用する引張力をかける。上記バネに働く上記押力は、上記弾性バンドの上記引張力と対抗する。上記バネの外側に押すベクトル力が、静止状態において、上記弾性バンドの内側に引くベクトル力よりわずかに大きくなるように、上記バネの上記外側に押すベクトル力および上記弾性バンドの上記内側に引くベクトル力は、不均等に調整されている。
【００２３】
振子型レンズの組立品の複数の光学眼内レンズ（ＩＯＬ）の骨組の組立品は、環状のプラットフォームと、上記環状のプラットフォームを覆い、かつ、囲むために備えられたヒンジ保護用アンブレラと、下端に重りを有した第２の光学レンズおよび後方光学レンズを含んでいるレンズ光学部品と、前方リブ（上記前方光学レンズを支持するために上記環状のプラットフォームにヒンジで連結されている）と、後方リブ（上記後方光学レンズを支持するために上記環状のプラットフォームにヒンジで連結されている）と、を含んでいる。上記前方リブおよび上記後方リブは、上記環状のプラットフォームおよび上記レンズ光学部品に固定され、かつ、哺乳類の目の白内障手術の間、水晶体嚢内に収まっている。
【００２４】
本明細書の一実施形態によれば、上記第２のレンズは、複数の糸で自由に吊るされている。上記後方レンズおよび上記第２のレンズは、互いに並列に、かつ、互いに近くに配置されている。上記後方レンズおよび上記第２のレンズの光軸は、目が前方に注視しているとき、同軸である。上記第２のレンズの視軸は、わずかな軸外偏向を有した上記後方レンズの視軸と一直線状になっている。
【００２５】
本明細書の一実施形態によれば、上記後方レンズが、目と共に下を向き、上記第２のレンズが、水晶体前嚢に向かって前方に動くことによって、目が下向きに注視しているとき、上記後方レンズおよび上記第２のレンズの間の距離が増加する。
【００２６】
本明細書の一実施形態によれば、上記環状のプラットフォームは、上記水晶体嚢の赤道領域に位置しており、上記環状のプラットフォームは、上記赤道領域上で、上記前方リブおよび後方リブに適合し、かつ、把持するように設けられている。上記環状のプラットフォームは、さらに、自由に吊るされた第２のレンズを支えるための吊り用プラットフォーム（吊り用領域）を備えている。上記環状のプラットフォームは、さらに、後方側の上記後方レンズに固定された細いリブであって、放射状に配置された複数の細いリブ、および、前方側の上記空の環に固定された細いリブであって、放射状に配置された複数の細いリブを備えている。
【図面の簡単な説明】
【００２７】
そのほかの目的、特徴、利点は、以下の好ましい実施の形態の説明および以下の添付の図面から当業者であれば気付くであろう。
【図１Ａ】本明細書における一実施形態に関する、被験者の目の水晶体嚢へ組み込むための複数の光学眼内レンズ（ＩＯＬ）の骨組の組立品の透視図である。
【図１Ｂ】本明細書における一実施形態に関する、複数の光学部品を有するヒンジ型ＩＯＬにおけるかご型骨組構造の側面図である。
【図２】本明細書における一実施形態に関する、複数の光学部品を有するヒンジ型ＩＯＬにおけるリブ構造の側面図である。
【図３】本明細書における一実施形態に関する、複数の光学部品を有するヒンジ型ＩＯＬにおける薄い弾性バンドを有する動的結合部の側面図である。
【図４】本明細書における一実施形態に関する、複数の光学部品を有するヒンジ型ＩＯＬにおけるバネを有する動的結合部の側面図である。
【図５】本明細書における一実施形態に関する、振子型眼内レンズの組立品のための骨組構造デザインの側面図である。
【図６】本明細書における一実施形態に関する、振子型眼内レンズの組立品の側面図である。
【図７】本明細書における一実施形態に関する、吊り用領域および第２のレンズ（光学部品）のみを示している振子型眼内レンズの組立品の正面図である。
【図８】本明細書における一実施形態に関する、通常の状況での振子型眼内レンズの組立品の側面図である。
【図９】本明細書における一実施形態に関する、短焦点のために下方を注視するなかでの振子型眼内レンズの組立品の側面図である。
【図１０】本明細書における一実施形態に関する、ノブによって保持されている、振子型レンズの側面図である。
【００２８】
本明細書の実施形態の詳細な特徴点は、いくつかの図面によって示されるが、他には示されていない。これは、各特徴が本明細書の実施形態に基づく任意のまたはすべてのそのほかの特徴と組み合わされうるからに過ぎない。
【発明を実施するための形態】
【００２９】
以下の詳細な説明において、本明細書の一部を形成する添付の図面を参照する。そして、実施されうる具体的な実施形態は、例として示されている。これらの実施形態は、当業者が本実施形態を実施できるように十分詳細に説明されている。そして、論理的、機械的、および他の変更が、本実施形態の範囲から離れることなく行われうることが理解される。それゆえ、以下の詳細な説明は、限定する意味で理解すべきではない。
【００３０】
複数の光学眼内レンズ（ＩＯＬ）の骨組の組立品は、環状のプラットフォームを覆い、かつ、囲むために配置されたヒンジ保護用アンブレラを有した環状のプラットフォームを備えている。前方光学レンズおよび後方光学レンズを含んだレンズ光学部品は、上記環状のプラットフォームによって支持されている。前方リブは、上記前方光学レンズを支持するために上記環状のプラットフォームにヒンジで連結されており、後方リブは、上記後方光学レンズを支持するために上記環状のプラットフォームにヒンジで連結されている。上記後方リブおよび上記前方リブは、複数の動的弾性バネ結合部を介して連結されている。上記前方リブおよび上記後方リブは、上記環状のプラットフォームおよび上記レンズ光学部品に固定され、かつ、哺乳類の目の白内障手術の間、水晶体嚢内に収まっている。
【００３１】
本明細書の一実施形態によれば、上記前方リブおよび上記後方リブは、ヒンジシステムを介して固定され、それによって、上記前方リブ、上記後方リブおよび上記レンズ光学部品が互いに、近づいたり離れたりする。
【００３２】
本明細書の一実施形態によれば、複数の光学眼内レンズ（ＩＯＬ）の骨組の組立品は、さらに、複数の放射状に配置された細いリブであって、凸型に形成された外部表面を有した細いリブを備えており、上記複数の放射状に配置された細いリブは、互いに離間している。上記複数の根本的に配置された細いリブの間の空間は、開放されているか、または、網を形成する医学的に覆われた透明な外科用材料で覆われている。
【００３３】
上記前方リブおよび上記後方リブは、上記動的弾性バネ結合部によって互いに接続されている。上記前方リブおよび上記後方リブは、上記前方リブおよび上記後方リブがヒンジのまわりを旋回するように、上記ヒンジで接続されている。
【００３４】
本明細書の一実施形態によれば、複数の光学眼内レンズ（ＩＯＬ）の骨組の組立品は、さらに、水晶体前嚢を裏打ちする１以上の第１のリブ群と、水晶体後嚢を裏打ちする１以上の第２のリブ群を備えている。上記前方リブは、目の水晶体嚢の水晶体前嚢に近接した前方の環に接合され、上記後方リブは、水晶体嚢の水晶体後嚢上にある眼内レンズの支持部に接合されている。上記前方の環は、ひとつの眼内レンズシステムまたは二焦点の眼内レンズシステムまたは多焦点の眼内システム、または、そのほかのレンズシステムを保持する。
【００３５】
本明細書の一実施形態によれば、それぞれの上記動的弾性バネ結合部は、さらに、硬質ロッド、前方ロッドおよび後方ロッドを備えている。上記前方ロッドは上記前方リブに接続されており、上記後方ロッドは、上記後方リブに接続されている。上記前方ロッドおよび上記後方ロッドは、入れ子式に連結されている。
【００３６】
本明細書の一実施形態によれば、上記後方ロッドおよび上記前方ロッドを互いに遠ざかるように押すために、入れ子式部分の内部にバネが配置されている。上記前方ロッドおよび上記後方ロッドを互いに近くに引き寄せるように、上記入れ子式部分の外部に弾性バンドが配置されている。上記バネは、上記前方ロッドおよび上記後方ロッドに外側に作用する押力をかける。また、上記弾性バンドは、内側に作用する引張力をかける。上記バネに働く上記押力は、上記弾性バンドの上記引張力と対抗する。上記バネの外側に押すベクトル力が、静止状態において、上記弾性バンドの内側に引くベクトル力よりわずかに大きくなるように、上記バネの上記外側に押すベクトル力および上記弾性バンドの上記内側に引くベクトル力は、不均等に調整されている。
【００３７】
複数の光学眼内レンズ（ＩＯＬ）の骨組の組立品のための振子型レンズの組立品は、骨組構造と、上記骨組構造に備えられた環状のプラットフォームと、を備えている。上記環状のプラットフォームを覆い、かつ、囲むためにヒンジ保護用アンブレラが備えられている。下端に重りを有した第２の光学レンズおよび後方光学レンズを含んでいるレンズ光学部品は、上記環状のプラットフォームによって支持されている。前方リブは、上記第２の光学レンズを支持するために上記環状のプラットフォームにヒンジで連結されており、後方リブは、上記後方光学レンズを支持するために上記環状のプラットフォームにヒンジで連結されている。上記前方リブおよび上記後方リブは、上記環状のプラットフォームおよび上記レンズ光学部品に固定され、かつ、哺乳類の目の白内障手術の間、水晶体嚢内に収まっている。
【００３８】
本明細書の一実施形態によれば、上記第２のレンズは、複数の糸で自由に吊るされている。上記後方レンズおよび上記第２のレンズは、互いに並列に、かつ、互いに近くに配置されている。上記後方レンズおよび上記第２のレンズの光軸は、目が前方に注視しているとき、同軸である。上記第２のレンズの光軸は、わずかな軸外偏向を有した上記後方レンズの視軸と一直線状になっている。
【００３９】
本明細書の一実施形態によれば、上記後方レンズは、目と共に下を向き、上記第２のレンズは、水晶体前嚢に向かって前方に動く。よって、目が下向きに注視しているとき、上記後方レンズおよび上記第２のレンズの間の距離は増加する。
【００４０】
本明細書の一実施形態によれば、上記環状のプラットフォームは、上記水晶体嚢の赤道領域に位置しており、上記環状のプラットフォームは、上記赤道領域上で、上記前方リブおよび後方リブに適合し、かつ、把持するように設けられている。上記環状のプラットフォームは、さらに、自由に吊るされた第２のレンズを支えるための吊り用プラットフォーム（吊り用領域）を備えている。上記環状のプラットフォームは、さらに、後方側の上記後方レンズに固定されており、放射状に配置された複数の細いリブ、および、前方側の空の環に固定されており、放射状に配置された複数の細いリブを備えている。
【００４１】
図１Ａは、被験者の目の水晶体嚢へ組み込むための複数の光学眼内レンズ（ＩＯＬ）の骨組の組立品の透視図を示したものである。図１Ａに示されるように、リブ１０２ａ、リブ１０２ｂおよび環状のプラットフォーム１０１の配置を有した上記複数の光学眼内レンズの骨組の組立品１０６が、目の水晶体嚢を支持している上記目に挿入されることを示している。図１Ｂは、本明細書の一実施形態に関する、複数の光学眼内レンズ（ＩＯＬ）の骨組の組立品の側面図を示している。本発明のＩＯＬの骨組の組立品１０６は、環状のプラットフォーム１０１を備えている。図１に示されているように、環状のプラットフォーム１０１は、薄い輪の形状をしている。一群の細いリブ１０２ａおよび一群の細いリブ１０２ｂが、環状のプラットフォーム１０１から伸ばされている。一群の細いリブ１０２ａおよび一群の細いリブ１０２ｂは、ヒンジシステム１０７を通って、環状のプラットフォーム１０１から伸ばされている。一群のリブ１０２ａは、目の水晶体嚢の水晶体前嚢を支持するよう配置されており、もう一方の一群のリブ１０２ｂは、水晶体嚢の水晶体後嚢を支持するよう配置されている。前方リブ１０２ａは、前方の環１０３に接しており、後方リブ１０２ｂは、レンズ嚢（水晶体嚢）の水晶体後嚢にある、ＩＯＬ光学部品（主要光学部品１０４）の支持部に接している。前方リブ１０２ａと後方リブ１０２ｂとは、それぞれのヒンジによって環状のプラットフォーム１０１に接合されている。前方リブ１０２ａと後方リブ１０２ｂは放射状に配置され、外に向かって突き出た凸面構造を有している。ヒンジ１０７により、前方リブ１０２ａと後方リブ１０２ｂが互いに近づいたり離れたりできる。リブはそれぞれ、水晶体後嚢の混濁および水晶体前嚢の混濁を抑制するための方形の縁１０５を有している。
【００４２】
本明細書の一実施形態によれば、環状のプラットフォーム１０１の直径は、９ｍｍから１６ｍｍであり、好ましい直径は１３ｍｍである。前方リブ１０２ａおよび後方リブ１０２ｂの数は、４から２４である。前方リブ１０２ａと後方リブ１０２ｂとの間の空間は開放されているか、「網（web）」を形成する医学的に覆われた透明な外科用材料で覆われている。
【００４３】
本明細書の一実施形態によれば、前方の環１０３は、少なくとも５ｍｍから８ｍｍの直径を有している。前方の環は、水晶体前嚢（部分的または全体的）に対向するまたは接するように配置され、破裂（rhexsis）の近接した位置にしっかりと取り付けられている。骨組構造１０６の前方の環１０３は、二焦点ＩＯＬシステムを形成するための他の目またはレンズを保持しても良く、単一のＩＯＬシステムを形成するために空いたままにしておいても良い。システムでの支持部の数は、２から８である。
【００４４】
図２は、本明細書の他の実施形態に関する、複数の目の組立品を有するヒンジ型ＩＯＬにおけるリブ構造の側面図を示している。ヒンジ型ＩＯＬの組立品は、２つの光学部品、すなわち、前方レンズ２０６ａおよび後方レンズ２０６ｂが備えられた二焦点レンズシステムを有している。２つのレンズそれぞれが、前方リブ１０２ａおよび後方リブ１０２ｂ経由で、環状のプラットフォーム１０１に接続されている。ヒンジ保護用アンブレラ２０１は、環状のプラットフォーム１０１を覆い囲むために備えられている。後方レンズ２０６ｂは、後方に角張らされて（湾曲させられて）おり、前方レンズ２０６ｂは、前方に湾曲させられている。
【００４５】
本明細書の一実施形態によれば、前方リブ１０２ａおよび後方リブ１０２ｂは、バネ２０７および弾性バンド２０５を組み合わせである独特な動的結合部によって接続されている。また、前方リブ１０２ａおよび後方リブ１０２ｂは、前方リブ１０２ａおよび後方リブ１０２がまわりを旋回するヒンジ２０２で接続されている。それぞれのリブは、水晶体後嚢の混濁および水晶体前嚢の混濁を抑制するために設けられた方形の縁１０５を有している。
【００４６】
本明細書の一実施形態によれば、独特な動的結合部は、硬質ロッド２０４と、前方リブ１０２ａに接続されている前方ロッド２０３ａと、後方リブ１０２ｂに接続されている後方ロッド２０３ｂとからなる。前方ロッドおよび後方ロッドは連結され、互いに入れ子式に動かされる。バネ２０７は入れ子式部分の内部に配置されている。バネ２０７は、２つのロッドが互いに遠ざかるように、前方ロッド２０３ａおよび後方ロッド２０３ｂを押す性質を有している。また、ヒンジ型ＩＯＬの組立品は、前方ロッド２０３ａおよび後方ロッド２０３ｂを互いに近くに引き寄せる性質を有した１以上の弾性バンド２０５を包含している。弾性バンドは、入れ子式結合部の外に取り付けられている。したがって、バネ２０７による前方ロッド２０３ａおよび後方ロッド２０３ｂを外側に押す力は、弾性バンド２０５の内側に引く力によって対抗されている。静止状態において、バネ２０７の外側に押す力が、弾性バンド２０５の内側に引く力よりわずかに大きくなるように、バネ２０７の外側に押すベクトル力と弾性バンド２０５の内側に引くベクトル力が少しだけ不均等になるように注意深く調整されている。本発明の一実施形態によれば、毛様体および毛様小帯のベクトル力次第で、上述とは反対の調整もなされている。
【００４７】
本明細書の一実施形態によれば、独特な動的結合部の数は、２から１６である。独特な動的結合部は、リブ１０２ａおよびリブ１０２ｂと同一材料からできているが、強く、丈夫で堅い。独特な動的結合部は、環状のプラットフォーム１０１からおよそ１ｍｍから３ｍｍ離れた距離に位置している。
【００４８】
本明細書の一実施形態によれば、前方リブ１０２ａおよび後方リブ１０２ｂが、薄い人工膜または材料を介して、隣接するリブと相互に連結されている。それにより、元のレンズ被膜が所定の場所に保持され、上記レンズ被膜が縮むのを防いでいる。好ましくは、薄い人工膜または材料には、最適な薬物が添加される。
【００４９】
本明細書の一実施形態によれば、ヒンジ保護用アンブレラ２０１は、骨組構造における環状のプラットフォーム１０１のなかに配置されたヒンジ２０２に備えられている。ヒンジ保護用アンブレラ２０１は、環状のプラットフォーム１０１を覆うように設けられた３６０度保護用アンブレラである。ヒンジ保護用アンブレラ２０１は、水晶体嚢の赤道に位置している。ヒンジ保護用アンブレラ２０１は、ヒンジ２０２のプラットフォームから伸びているロッド２０４によって支持されている。ヒンジ保護用アンブレラ２０１は、外科用材料からできている。ヒンジ保護用アンブレラ２０１は薄く、本来の形状を記憶して曲げられる。ヒンジ保護用アンブレラ２０１は、赤道から伸び、水晶体嚢が、ちょうどヒンジシステム２０２および環状のプラットフォーム１０１上に縮まないほどに環状のプラットフォーム１０１から離れたところで止められている。
【００５０】
本明細書の一実施形態によれば、複数の光学眼内レンズ（ＩＯＬ）の骨組の組立品は、２つのレンズ、すなわち、前方レンズ２０６ａと後方レンズ２０６ｂとを包含している。前方レンズ２０６ａおよび後方レンズ２０６ｂの屈折力は、同じまたは同じでない方法で、終端の間で分けられている。前方レンズ２０６ａと後方レンズ２０６ｂは、任意の外科用材料からできている。方形の形状をした後方の縁の表面は、水晶体後嚢の混濁の可能性が減るように設計されている。上記光学部品（前方レンズ２０６ａと後方レンズ２０６ｂ）は、単焦点、二焦点、または、多焦点である。前方レンズ２０６ａおよび後方レンズ２０６ｂは、屈折、回折、またはその両方の構造を組み合わせたものである。
【００５１】
図３は、本明細書の一実施形態に関する、複数の光学眼内レンズ（ＩＯＬ）の骨組の組立品の薄い弾性バンドを有する独特な動的結合部の側面図を示しており、図４は、本発明の一実施形態に関する、複数の光学眼内レンズ（ＩＯＬ）の骨組の組立品のバネを有する独特な動的結合部の側面図を示している。図３および図４に関して、独特な動的結合部は、硬質ロッド、前方ロッドおよび後方ロッドからなる。前方ロッドは前方リブに接続されており、後方ロッドは後方リブに接続されている。前方ロッドおよび後方ロッドは、図２に示されているように互いに入れ子式に連結されている。図４に示されているように、バネ２０７（図４）は、前方ロッドおよび後方ロッドを互いに遠ざかるように押す性質を有しており、入れ子式部分の内部に備えられている。図３に示されているように、弾性バンド２０５は、前方ロッドおよび後方ロッドを互いに引き寄せる性質を有しており、入れ子式部分の外部に配置されている。
【００５２】
ロッド（前方ロッドと後方ロッド）における、バネ２０７（図４）の外側に作動している「押す」力は、弾性バンド２０５（図３）の内側に作動している「引く」力によって対抗されている。静止状態において、バネ２０７（図４）の外側に押す力が、弾性バンド２０５（図３）の内側に引く力よりもわずかに大きくなるように、バネ２０７（図４）の外側に押すベクトル力と弾性バンド２０５（図３）の内側に引くベクトル力とが少しだけ不均等になるように注意深く調整されている。毛様体および毛様小体のベクトル力次第で、上記とは反対の調整もなされている。
【００５３】
図５は、本明細書の一実施形態に関する、振子型眼内レンズの組立品のための骨組構造デザインの側面図を示している。振子型ＩＯＬの組立品は、レンズ被膜の赤道の内側を覆う環状のプラットフォーム１０１と呼ばれる円状の輪を包含している。後方の骨組のリブ１０２ｂは、環状のプラットフォーム１０１から外側に放射状に広がり、後方側の主要な後方レンズ１０４に取付けられている。同様に、前方の骨組のリブ１０２ａは、環状のプラットフォーム１０１から外側に放射状に広がり、前方側の空の環５０２に取付けられている。前方の骨組のリブ１０２ａおよび後方の骨組のリブ１０２ｂは細いリブである。本発明の環状のプラットフォーム１０１は、１２時の位置のプラットフォーム５０１および６時の位置のプラットフォーム５０３を有している。１２時の位置の環状のプラットフォーム５０１が、第２のレンズとしても知られる振子型目の組立品を吊るすことを助けている。
【００５４】
図６は、本明細書の一実施形態に関する、振子型眼内レンズの組立品の側面図を示している。図５に示すように、振子型ＩＯＬ組立部品は、骨組構造内に配置されている。主要光学部品１０４は、被膜の後方領域において、後方リブによって保持されている。図５に示されているように、主要光学部品１０４が、１２時の位置の環状のプラットフォーム５０１に配置されている。第２の光学部品６０１は、その下部の表面に取付けられた重り６０２を有している振子のように吊るされている。１２時の位置の環状のプラットフォーム５０１は、ヒンジシステム６０３を有している。光学部品１０４は、同様に、６時の位置の環状のプラットフォーム５０３に接続されている。
【００５５】
図７は、本明細書の一実施形態に関する、吊り用領域および第２のレンズ（光学部品）のみを示している振子型眼内レンズの組立品の正面図を示している。図７に示されているように、振子型ＩＯＬは更に、１２時の位置５０１に中心が置かれた吊り用領域（ヒンジ）５０１ａを含んでいる。吊り用領域５０１ａは、重り６０２を下部に有する第２の光学部品６０１であって、自由に吊り下げられている第２の光学部品６０１を支持する吊り用の糸７０１を有している。吊り用の糸７０１の長さは、第２の光学部品６０１の正確な中心を確保するために調整されている。吊り用の糸７０１は、ヒンジシステム６０３を通って吊り用領域５０１ａに接続されている。図７に示されているように、本発明の環状のプラットフォーム１０１は、１２時の位置のプラットフォーム５０１を有している。図７に示されているように、保護用アンブレラ７０４は、環状のプラットフォームを部分的におおい、囲んでいる。
【００５６】
図８は、本明細書の一実施形態に関する、通常の状況での振子型眼内レンズの組立品の側面図を示している。水晶体後嚢８０１の主要光学部品１０４（後方レンズ）は、目と共にまっすぐまたは下方を向く。通常の状況において、１２時の位置に配置された環状のプラットフォーム５０１から重り６０２と共に、吊り用の糸７０１により自由に吊り下げられた振子型光学部品６０１（第２のレンズ）は、主要光学部品１０４（後方レンズ）と整列して並べられている。そして、重り６０２にかかる重力の効果により、短焦点に対し下方を注視する間、自由に吊り下げられた振子型光学部品６０１（第２のレンズ）が、空の環５０２に備えられた水晶体前嚢８０２に向かって前方に動き、これにより、２つの光学部品（後方レンズ１０４および第２のレンズ６０１）間の距離が増加したり減少したりする。第２の光学部品６０１の屈折力は、振子型眼内レンズシステムにおける近くでの焦点合わせを可能にするために、増加した距離が、＋２．５から＋４．０ジオプターのさらなる屈折力を生み出すように調整される。
【００５７】
図９は、本明細書の一実施形態に関する、短焦点のために下方の注視位置での振子型眼内レンズの組立品の側面図を示している。図９に関して、水晶体後嚢８０１の主要光学部品１０４（後方レンズ）は、目と共に下方を向いている。重り６０２を伴った自由に吊り下げられた振子型光学部品６０１（第２のレンズ）は、重り６０２にかかる重力効果のために、水晶体前嚢８０２に向かって前方に動く。このことは、２つの光学部品（後方レンズ１０４および第２のレンズ６０１）の間の距離を増加させる。第２の光学部品６０１の屈折力は、振子型眼内レンズシステムにおける近くでの焦点合わせを可能にするために、増加した距離が、＋２．５から＋４．０ジオプターのさらなる屈折力を生み出すように調整される。
【００５８】
目が前方を注視しているとき、後方レンズ１０４および第２のレンズ６０１（振子型光学部品）は平行のままであり、互いに最も近い位置にある。そして、それらの視軸は、遠くの物体に焦点を合わせることができる。
【００５９】
図１０は、本明細書の一実施形態に関する、ノブ１１１によって保持されている、振子型レンズの側面図を示している。図１０に関して、重り６０２を有する第２のレンズ６０１（前方レンズ）は、ノブ１１１および広がった表面を持つ糸７０１を通って、軸に対して回転して動くことを可能にするために、環状のプラットフォームから支持されている。
【００６０】
本発明における様々な実施形態は、レンズ被膜の虚脱を防ぎ、上記被膜の形状を維持する骨組構造を提供している。本発明は、単焦点または二焦点レンズシステムを提供する複数の光学のレンズの組立品を提供する。本発明は、毛様体に基づいて動くことによって調整される複数の光学レンズの組立品を提供し、これにより、様々な物体の焦点合わせが可能となる。本発明は、動的弾性結合部の外側に引く力が、水晶体嚢の剛性を維持するように、動的弾性結合部を有する複数の光学レンズの組立品を提供する。本発明は、その保護部によって水晶体嚢が、ヒンジシステムおよび環状のプラットフォームの上で縮小することを防ぐための、３６０度保護用アンブレラを有する複数の光学レンズの組立品を提供する。
【００６１】
本発明における振子型レンズの組立品は、遠くに焦点を合わせるように設計されたレンズシステムを使用して読み書きする間、近くの物体に対してレンズの焦点合わせをすることを可能とする。本発明のレンズの組立品は、レンズを格納している水晶体嚢が無傷かつ剛性に保つための骨組構造を有している。水晶体後嚢および水晶体前嚢の特定化が再開される間、および、収縮している間、分子が吸収されるように、前方に炎症性のある化学コーティングをしたレンズが提供される。それぞれのリブは、水晶体前嚢および水晶体後嚢の混濁を抑制するように設計された方形の形状をした縁を有している。
【００６２】
先に記述した本発明の特定の実施形態は、本明細書における実施形態の一般的な性質が完全に明らかにしうる。他の者が現行の知識を用いて、一般的な概念から始めることなしに、特定の実施形態のような様々な形態に容易に修正および／または適用可能である。したがって、その適用および修正は、開示された実施形態と同じ意味および範囲内で含まれていることを意味している。本発明において使用された表現や用語は記述目的であり、制限するものではない。したがって、本明細書の実施形態は、好ましい実施形態に関して記述されているが、当業者は、本明細書の実施形態が、添付された請求項の特質および範囲内における修正によって実施されうることがわかるであろう。
【００６３】
本明細書の実施形態は、様々な特定の実施形態で記述されているが、当業者が、修正を加えて本明細書の実施形態を実施することは明らかであろう。しかし、それらの修正すべては、請求項の範囲内で実施されていると考えられる。
【００６４】
以下の請求項は、本明細書に記述した実施形態すべての一般および特定の特徴、および、実施形態の範囲の全ての記述を包含することを目的としており、用語として、実施形態は、これらの間で実現されると考えられる。
【手続補正２】
【補正対象書類名】特許請求の範囲
【補正対象項目名】全文
【補正方法】変更
【補正の内容】
【特許請求の範囲】
【請求項１】
被験者の目の水晶体嚢内へ組み込むための複数の光学眼内レンズ（ＩＯＬ）の骨組の組立品であって、
前方光学レンズを有した前方の環であって、上記水晶体嚢の前方領域に配置された前方の環と、
上記水晶体嚢の後方領域に配置された後方光学レンズと、
上記前方の環および上記後方光学レンズから放射状に伸びるように配置された複数の移動可能な前方および後方リブであって、複数のヒンジを介して環状のプラットフォームに固定された複数の移動可能な前方および後方リブと、
上記環状のプラットフォームを囲むために配置されたヒンジ保護用アンブレラと、
上記前方および後方リブに操作可能に接続された複数の動的弾性バネ結合部と、を備えている、ＩＯＬの骨組の組立品。
【請求項２】
上記前方リブおよび後方リブは、上記環状のプラットフォームに固定されており、かつ、上記前方および後方リブが互いに、近づいたり離れたりするように配置されている、請求項１に記載のＩＯＬの骨組の組立品。
【請求項３】
上記前方および後方リブは、間に空間を有した凸型である、請求項１に記載のＩＯＬの骨組の組立品。
【請求項４】
上記前方および後方リブは、医学的に覆われた網であって、透明な外科用材料で作られた網で覆われている、請求項１に記載のＩＯＬの骨組の組立品。
【請求項５】
上記前方リブおよび上記後方リブは、旋回動作のために複数のヒンジに旋回可能に接続されている、請求項１に記載のＩＯＬの骨組の組立品。
【請求項６】
上記前方レンズは、単一の眼内レンズシステムまたは二焦点眼内レンズシステムまたは多焦点の眼内システムを保持する、請求項１に記載のＩＯＬの骨組の組立品。
【請求項７】
上記環状のプラットフォームは、前方および後方リブを支持するために上記水晶体嚢の赤道領域に配置されている、請求項１に記載のＩＯＬの骨組の組立品。
【請求項８】
上記複数の動的弾性バネ結合部は、
硬質ロッドと、
前方ロッドと、
後方ロッドと、を備え、
上記前方ロッドは前方リブに接続されており、上記後方ロッドは後方リブに接続されており、上記前方ロッドおよび上記後方ロッドは、互いに入れ子式に連結されている、請求項１に記載のＩＯＬの骨組の組立品。
【請求項９】
上記前方および後方ロッドを接続するために、内部にバネが配置されており、上記バネは、上記後方ロッドおよび上記前方ロッドを互いに遠ざかるように押すために配置されている、請求項８に記載のＩＯＬの骨組の組立品。
【請求項１０】
上記前方および後方ロッドを接続するために、外部に複数の弾性バンドが配置されており、上記弾性バンドは、上記前方ロッドおよび上記後方ロッドを互いに近くに引き寄せるように配置されている、請求項８に記載のＩＯＬの骨組の組立品。
【請求項１１】
被験者の目の水晶体嚢内へ組み込むための多焦点眼内レンズ（ＩＯＬ）の骨組の組立品であって、
（ａ）上記水晶体嚢の前方領域に配置された前方光学レンズを有した前方の環と、
（ｂ）上記水晶体嚢の後方領域に配置された後方光学レンズと、
（ｃ）上記前方の環および上記後方光学レンズから放射状に伸びるように配置された複数の移動可能な前方および後方リブであって、環状のプラットフォームに固定された複数の移動可能な前方および後方リブと、
（ｄ）上記環状のプラットフォームに接続された吊り用プラットフォームと、
（ｅ）上記吊り用プラットフォームから吊り下げられた移動可能かつ加重された第２のレンズであって、上記後方レンズおよび前方の環の間に配置された移動可能かつ加重された第２のレンズと、を備えている、ＩＯＬの骨組の組立品。
【請求項１２】
上記第２のレンズは、複数の糸で自由に吊るされている、請求項１１に記載のＩＯＬの骨組の組立品。
【請求項１３】
上記後方レンズおよび上記第２のレンズは、互いに並列で、近接しており、上記後方レンズおよび上記第２のレンズの光軸は、目が前方の注視位置にあるとき、同軸である、請求項１１に記載のＩＯＬの骨組の組立品。
【請求項１４】
上記後方レンズおよび上記第２のレンズは、目が下向きの注視位置にあるとき、お互いに角度を有し、かつ、離れている、請求項１１に記載のＩＯＬの骨組の組立品。
【請求項１５】
上記第２のレンズの光軸は、わずかな軸外偏向を有した上記後方レンズの上記視軸と一直線状になっている、請求項１１に記載のＩＯＬの骨組の組立品。
【請求項１６】
上記環状のプラットフォームは、上記水晶体嚢の赤道領域に位置しており、上記環状のプラットフォームは、上記赤道領域上で、上記水晶体前嚢および水晶体後嚢に適合し、かつ、把持するように設けられている、請求項１１に記載のＩＯＬの骨組の組立品。
【請求項１７】
伸長可能な糸を用いて上記環状のプラットフォームのノブから回転可能、移動可能および加重された第２のレンズが吊り下げられており、上記第２のレンズは、上記後方レンズおよび上記前方の環の間に配置されている、請求項１１に記載のＩＯＬの骨組の組立品。
【国際調査報告】
2013528098.tif 000024
2013528098.tif 000025
2013528098.tif 000026